(57)【要約】【課題】サムネイルのインデックス表示速度を速くすることが出来ない。【解決手段】画像情報（３１１ｃ）、及び画像情報（３１１ｃ）に関する付属情報（３１１ｂ）を有する画像ファイル（３１１ｂ、３１１ｃ）を複数記録した記録媒体（３１５）であって、第１の領域（３１０）には、複数の画像ファイル（３１１ｂ、３１１ｃ）が記録されており、第１の領域（３１０）とは異なった領域である第２の領域（３０９）には、複数の画像ファイル（３１１ｂ、３１１ｃ）にそれぞれ対応する付属情報の全体のコピーまたは一部のコピー（３１１ａ）が複数記録されている記録媒体である。【選択図】図５９
2008305545.tif 000002
【特許請求の範囲】
【請求項１】
画像情報、及び前記画像情報に関する付属情報を有する画像ファイルを複数記録した記録媒体であって、
第１の領域には、複数の前記画像ファイルが記録されており、
前記第１の領域とは異なった領域でありかつ連続した論理セクタから成る第２の領域には、複数の前記画像ファイルにそれぞれ対応する複数の第２の付属情報が記録されており、
前記第１の領域の付属情報および前記第２の付属情報は、前記画像情報のサムネール画像情報および前記画像情報に関するメタデータを含むものであり、
１つのファイルとして管理されている前記複数の第２の付属情報は、前記論理セクタの整数倍の所定サイズの、連続した各領域内に１個づつ格納される記録媒体。
【請求項２】
前記第２の付属情報は、前記第１の領域の付属情報と共通のデータ構造で記録される請求項１記載の記録媒体。
【請求項３】
さらに第１の領域の前記画像ファイルと前記第２の付属情報との間のリンク情報が記録される請求項１記載の記録媒体。
【請求項４】
前記画像ファイルは、Ｅｘｉｆ画像ファイルであり、
前記画像情報は、前記Ｅｘｉｆ画像ファイルに含まれるＥｘｉｆ主画像及びＥＯＩ（エンドオブイメージ）であり、
前記第１の領域の付属情報は、前記Ｅｘｉｆ画像ファイルに含まれるＡＰＰ１（アプリケーションデータセグメント１）及びＳＯＩ（スタートオブイメージ）であり、
前記第２の付属情報は、前記ＡＰＰ１及びＳＯＩである、または前記ＡＰＰ１である、または前記ＡＰＰ１から先頭２バイトを除いた部分である、または前記ＡＰＰ１から先頭４バイトを除いた部分である、または前記ＡＰＰ１から所定の情報を除いた部分である請求項１記載の記録媒体。
【請求項５】
前記画像ファイルは、ＤＣＦ基本ファイルであり、
前記画像情報は、前記ＤＣＦ基本ファイルに含まれるＥｘｉｆ主画像及びＥＯＩ（エンドオブイメージ）であり、
前記第１の領域の付属情報は、前記ＤＣＦ基本ファイルに含まれるＡＰＰ１（アプリケーションデータセグメント１）及びＳＯＩ（スタートオブイメージ）であり、
前記第２の付属情報は、前記ＡＰＰ１及びＳＯＩである、または前記ＡＰＰ１である、または前記ＡＰＰ１から先頭２バイトを除いた部分である、または前記ＡＰＰ１から先頭４バイトを除いた部分である請求項１記載の記録媒体。
【請求項６】
前記画像ファイルは、Ｅｘｉｆ規格に準拠したＴＩＦＦファイル、及び前記ＴＩＦＦファイルに対応する縮小画像情報であるＤＣＦサムネールファイルであり、
前記画像情報は、前記ＴＩＦＦファイルに含まれるＴＩＦＦ画像情報であり、
前記第１の領域の付属情報及び前記第２の付属情報は、共に前記ＴＩＦＦファイルに含まれるＥｘｉｆ規格準拠の付属情報、及び前記ＤＣＦサムネールファイルである請求項１記載の記録媒体。
【請求項７】
画像情報、及び前記画像情報に関する付属情報から構成される画像ファイルを複数入力する入力手段と、
記録媒体の第１の領域に、複数の前記画像ファイルを記録し、前記第１の領域とは異なった領域でありかつ連続した論理セクタから成る、前記記録媒体の第２の領域に、複数の前記画像ファイルにそれぞれ対応する複数の第２の付属情報を記録する記録手段とを備え、
前記第１の領域の付属情報および前記第２の付属情報は、前記画像情報のサムネール画像情報および前記画像情報に関するメタデータを含むものであり、
１つのファイルとして管理されている前記複数の第２の付属情報は、前記論理セクタの整数倍の所定サイズの、連続した各領域内に１個づつ格納される記録装置。
【請求項８】
画像を圧縮して画像情報と前記画像情報に関する付属情報を生成するエンコーダと、
前記画像情報、および前記付属情報を画像ファイルとして構成し、記録媒体の第１の領域に、複数の前記画像ファイルを記録し、前記第１の領域とは異なった領域でありかつ連続した論理セクタから成る、前記記録媒体の第２の領域に、複数の前記画像ファイルにそれぞれ対応する複数の第２の付属情報を記録する記録手段とを備え、
前記第１の領域の付属情報及び前記第２の付属情報は、前記画像情報のサムネール画像情報及び前記画像情報に関するメタデータを含むものであり、
１つのファイルとして管理されている前記複数の第２の付属情報は、前記論理セクタの整数倍の所定サイズの、連続した各領域内に１個づつ格納される記録装置。
【請求項９】
前記第２の付属情報は、前記第１の領域の付属情報と共通のデータ構造で記録される請求項７または８記載の記録装置。
【請求項１０】
さらに第１の領域の前記画像ファイルと前記第２の付属情報との間のリンク情報を記録する請求項７または８記載の記録装置。
【請求項１１】
請求項７または８記載の記録装置によって記録された記録媒体に格納されている前記画像情報及び前記付属情報を再生する再生装置であって、
一つまたは複数の前記画像情報を再生する場合、前記第１の領域に格納されている一つまたは複数の前記画像ファイルを読み出し、一つまたは複数の前記付属情報を再生する場合、前記第２の領域に格納されている一つまたは複数の対応する前記第２の付属情報を読み出す読み出し手段と、
読み出された前記画像ファイルまたは前記第２の付属情報を出力する出力手段とを備えた再生装置。
【請求項１２】
画像情報、及び前記画像情報に関する付属情報から構成される画像ファイルを複数入力する入力ステップと、
記録媒体の第１の領域に、複数の前記画像ファイルを記録し、前記第１の領域とは異なった領域でありかつ連続した論理セクタから成る、前記記録媒体の第２の領域に、複数の前記画像ファイルにそれぞれ対応する複数の第２の付属情報を記録する記録ステップとを備え、
前記第１の領域の付属情報および前記第２の付属情報は、前記画像情報のサムネール画像情報および前記画像情報に関するメタデータを含むものであり、
前記記録ステップでは、１つのファイルとして管理される前記複数の第２の付属情報を、前記論理セクタの整数倍の所定サイズの、連続した各領域内に１個づつ格納する、記録方法。
【請求項１３】
画像を圧縮して画像情報と前記画像情報に関する付属情報を生成するステップと、
前記画像情報、および前記付属情報を画像ファイルとして構成し、記録媒体の第１の領域に、複数の前記画像ファイルを記録するステップと、
前記第１の領域とは異なった領域でありかつ連続した論理セクタから成る、前記記録媒体の第２の領域に、複数の前記画像ファイルにそれぞれ対応する複数の第２の付属情報を記録するステップとを備え、
前記第１の領域の付属情報および前記第２の付属情報は、前記画像情報のサムネール画像情報および前記画像情報に関するメタデータを含むものであり、
前記複数の第２の付属情報を記録するステップでは、１つのファイルとして管理される前記複数の第２の付属情報を、前記論理セクタの整数倍の所定サイズの、連続した各領域内に１個づつ格納する、記録方法。
【請求項１４】
請求項１２または１３記載の記録方法によって記録された記録媒体に格納されている前記画像情報及び前記付属情報を再生する再生方法であって、
一つまたは複数の前記画像情報を再生する場合、前記第１の領域に格納されている一つまたは複数の前記画像ファイルを読み出し、一つまたは複数の前記付属情報を再生する場合、前記第２の領域に格納されている一つまたは複数の対応する前記第２の付属情報を読み出す読み出しステップと、
読み出された前記画像ファイルまたは前記第２の付属情報を出力する出力ステップとを備えた再生方法。
【請求項１５】
請求項７記載の記録装置の、画像情報、及び前記画像情報に関する付属情報から構成される画像ファイルを複数入力する前記入力手段と、
記録媒体の第１の領域に、複数の前記画像ファイルを記録し、前記記録媒体の前記第１の領域とは異なった領域でありかつ連続した論理セクタから成る、前記記録媒体の第２の領域に、複数の前記画像ファイルにそれぞれ対応する複数の第２の付属情報を記録する前記記録手段としてコンピュータを機能させるためのプログラム。
【請求項１６】
請求項８記載の記録装置の、画像を圧縮して画像情報と前記画像情報に関する付属情報を生成する前記エンコーダと、
前記画像情報、および前記付属情報を画像ファイルとして構成し、記録媒体の第１の領域に、複数の前記画像ファイルを記録し、前記第１の領域とは異なった領域でありかつ連続した論理セクタから成る、前記記録媒体の第２の領域に、複数の前記画像ファイルにそれぞれ対応する複数の第２の付属情報を記録する前記記録手段としてコンピュータを機能させるためのプログラム。
【請求項１７】
請求項１１記載の再生装置の、一つまたは複数の前記画像情報を再生する場合、前記第１の領域に格納されている一つまたは複数の前記画像ファイルを読み出し、一つまたは複数の前記付属情報を再生する場合、前記第２の領域に格納されている一つまたは複数の対応する前記第２の付属情報を読み出す前記読み出し手段と、
読み出された前記画像ファイルまたは前記付属情報を出力する前記出力手段としてコンピュータを機能させるためのプログラム。
【請求項１８】
請求項１５〜１７のいずれかに記載のプログラムを記録した記録媒体であって、コンピュータにより処理可能な記録媒体。
【発明の詳細な説明】
【技術分野】
【０００１】
本発明は読み書き可能な記録媒体であって，特に，動画像データ及び静止画データ及びオーディオデータ及びデータ放送等の種々のフォーマットのデータを含むマルチメディアデータが記録される記録媒体、記録装置、再生装置、記録方法、再生方法、及びプログラムに関する。
【背景技術】
【０００２】
６５０ＭＢ程度が上限であった書換え型光ディスクの分野で数ＧＢの容量を有する相変化型ディスクＤＶＤ−ＲＡＭが出現した。デジタルＡＶデータの符号化規格であるＭＰＥＧ（ＭＰＥＧ２）の実用化とあいまってＤＶＤ−ＲＡＭは，コンピュータ用途だけでなくオーディオ・ビデオ（ＡＶ）技術分野における記録・再生メディアとして期待されている。
【０００３】
以下、従来の情報記録媒体，記録装置及び再生装置の実施の形態であるＤＶＤディスク，ＤＶＤレコーダ及びＤＶＤプレーヤについて下記の順序で説明する。
１．ＤＶＤレコーダ装置のシステム概要２．ＤＶＤレコーダ装置の機能概要３．ＤＶＤディスクの概要４．再生されるＡＶ情報の概要５．ＡＶ情報の管理情報と再生制御の概要６．再生機能の基本動作７．記録機能の基本動作。
（１．ＤＶＤレコーダ装置のシステム概要）
図１は，ＤＶＤレコーダ装置の外観と関連機器とのインタフェースの一例を説明する図である。図１に示すように，ＤＶＤレコーダには光ディスクであるＤＶＤが装填され，ビデオ情報の記録再生を行う。操作は一般的にはリモコンで行われる。
【０００４】
ＤＶＤレコーダに入力されるビデオ情報にはアナログ信号とデジタル信号の両者があり，アナログ信号としてはアナログ放送があり，デジタル信号としてデジタル放送がある。一般的にはアナログ放送は，テレビジョン装置に内蔵され受信機により受信，復調され，ＮＴＳＣ等のアナログビデオ信号としてＤＶＤレコーダに入力され，デジタル放送は，受信機であるＳＴＢ（Ｓｅｔ  Ｔｏｐ  Ｂｏｘ）でデジタル信号に復調され，ＤＶＤレコーダに入力され記録される。
【０００５】
一方，ビデオ情報が記録されたＤＶＤディスクはＤＶＤレコーダにより再生され外部に出力される。出力も入力同様に，アナログ信号とデジタル信号の両者があり，アナログ信号であれば直接テレビジョン装置に入力され，デジタル信号であればＳＴＢを経由し，アナログ信号に変換された後にテレビジョン装置に入力されテレビジョン装置で映像表示される。
【０００６】
また，ＤＶＤディスクにはＤＶＤレコーダ以外のＤＶＤカムコーダや，パーソナルコンピュータでビデオ情報が記録再生される場合がある。ＤＶＤレコーダ外でビデオ情報が記録されたＤＶＤディスクであっても，ＤＶＤレコーダに装填されれば，ＤＶＤレコーダはこれを再生する。
【０００７】
なお，上述したアナログ放送やデジタル放送のビデオ情報には通常，音声情報が付随している。付随している音声情報も同様にＤＶＤレコーダで記録再生される。またビデオ情報は一般的には動画であるが，静止画の場合もある。例えば，ＤＶＤカムコーダの写真機能で静止画が記録される場合がそうなる。
【０００８】
なお，ＤＶＤレコーダとＳＴＢ等の外部機器との間のデジタルＩ／ＦはＩＥＥＥ１３９４，ＡＴＡＰＩ，ＳＣＳＩ，ＵＳＢ，イーサネット(登録商標），等がありうる。
【０００９】
なお，ＤＶＤレコーダとテレビジョン装置との間はコンポジットビデオ信号であるＮＴＳＣと例示したが，輝度信号と色差信号を個別に伝送するコンポーネント信号でもよい。さらには，ＡＶ機器とテレビジョン装置の間の映像伝送Ｉ／ＦはアナログＩ／ＦをデジタルＩ／Ｆ，例えば，ＤＶＩに置きかえる研究開発が進められており，ＤＶＤレコーダとテレビジョン装置がデジタルＩ／Ｆで接続されることも当然予想される。 
（２．ＤＶＤレコーダ装置の機能概要）
図２は，ＤＶＤレコーダ装置の機能を示すブロック図である。ドライブ装置は，ＤＶＤ−ＲＡＭディスク１００のデータを読み出す光ピックアップ１０１，ＥＣＣ（Ｅｒｒｏｒ  Ｃｏｒｒｅｃｔｉｎｇ  Ｃｏｄｅ）処理部１０２，トラックバッファ１０３，トラックバッファ１０３の入出力を切り替えるスイッチ１０４，エンコーダ部１０５及びデコーダ部１０６を備える。図に示すように，ＤＶＤ−ＲＡＭディスク１００には，１セクタ＝２ＫＢを最小単位としてデータが記録される。また，１６セクタ＝１ＥＣＣブロックとして，ＥＣＣブロックを単位としてＥＣＣ処理部１０２でエラー訂正処理が施される。
【００１０】
なお，ＤＶＤレコーダ装置はデータの蓄積媒体として，ＤＶＤ−ＲＡＭディスクに加え，半導体メモリカードやハードディスクドライブ装置を備えても良い。図４は，半導体メモリカードとハードディスクドライブ装置を備える場合のＤＶＤレコーダのブロック図を示す。なお，１セクタは５１２Ｂでも良いし，８ＫＢ等でも良い。また，ＥＣＣブロックも１セクタ，１６セクタ，３２セクタ等でも良い。記録できる情報容量の増大に伴い，セクタサイズ及びＥＣＣブロックを構成するセクタ数は増大すると予想される。
【００１１】
トラックバッファ１０３は，ＤＶＤ−ＲＡＭディスク１００にＡＶデータをより効率良く記録するため，ＡＶデータを可変ビットレート（ＶＢＲ）で記録するためのバッファである。ＤＶＤ−ＲＡＭ１００への読み書きレート（Ｖａ）が固定レートであるのに対して，ＡＶデータはその内容（ビデオであれば画像）の持つ複雑さに応じてビットレート（Ｖｂ）が変化するため，このビットレートの差を吸収するためのバッファである。
【００１２】
このトラックバッファ１０３をさらに有効利用すると，ＤＶＤ−ＲＡＭディスク１００上にＡＶデータを離散配置することが可能になる。図３を用いてこれを説明する。図３（ａ）は，ディスク上のアドレス空間を示す図である。図３（ａ）に示す様にＡＶデータが［ａ１，ａ２］の連続領域と［ａ３，ａ４］の連続領域に分かれて記録されている場合，ａ２からａ３へシークを行っている間，トラックバッファに蓄積してあるデータをデコーダ部１０６へ供給することでＡＶデータの連続再生が可能になる。この時の状態を示したのが図３（ｂ）である。
【００１３】
位置ａ１で読み出しを開始したＡＶデータは，時刻ｔ１からトラックバッファへ１０３入力されると共に，トラックバッファ１０３からデータの出力が開始される。これにより，トラックバッファへの入力レート（Ｖａ）とトラックバッファからの出力レート（Ｖｂ）のレート差（Ｖａ−Ｖｂ）の分だけトラックバッファへデータが蓄積されていく。この状態が，検索領域がａ２に達するまで，即ち，時刻ｔ２に達するまで継続する。この間にトラックバッファ１０３に蓄積されたデータ量をＢ（ｔ２）とすると，時間ｔ２から，領域ａ３のデータの読み出しを開始する時刻ｔ３までの間，トラックバッファ１０３に蓄積されているＢ（ｔ２）を消費してデコーダ１０６へ供給し続けられれば良い。
【００１４】
言い方を変えれば，シーク前に読み出すデータ量（［ａ１，ａ２］）が一定量以上確保されていれば，シークが発生した場合でも，ＡＶデータの連続供給が可能である。ＡＶデータの連続供給が可能な連続領域のサイズはＥＣＣブロック数（Ｎ＿ｅｃｃ）に換算すると次の式で示される。式において，Ｎ＿ｓｅｃはＥＣＣブロックを構成するセクタ数であり，Ｓ＿ｓｉｚｅはセクタサイズ，Ｔｊはシーク性能（最大シーク時間）である。
【００１５】
Ｎ＿ｅｃｃ  ＝  Ｖｂ＊Ｔｊ／
（（Ｎ＿ｓｅｃ＊８＊Ｓ＿ｓｉｚｅ）＊（１−Ｖｂ／Ｖａ））
また，連続領域の中には欠陥セクタが生じる場合がある。この場合も考慮すると連続領域は次の式で示される。式において，ｄＮ＿ｅｃｃは容認する欠陥セクタのサイズであり，Ｔｓは連続領域の中で欠陥セクタをスキップするのに要する時間である。このサイズもＥＣＣブロック数で表される。
【００１６】
Ｎ＿ｅｃｃ  ＝  ｄＮ＿ｅｃｃ＋Ｖｂ＊（Ｔｊ＋Ｔｓ）／
（（Ｎ＿ｓｅｃ＊８＊Ｓ＿ｓｉｚｅ）＊（１−Ｖｂ／Ｖａ））
なお，ここでは，ＤＶＤ−ＲＡＭからデータを読み出す，すなわち再生の場合の例を説明したが，ＤＶＤ−ＲＡＭへのデータの書き込み，すなわち録画の場合も同様に考えることができる。上述したように，ＤＶＤ−ＲＡＭでは一定量以上のデータが連続記録さえされていればディスク上にＡＶデータを分散記録しても連続再生／録画が可能である。ＤＶＤでは，この連続領域をＣＤＡと呼称する。
（３．ＤＶＤディスクの概要）
図５は，記録可能な光ディスクであるＤＶＤ−ＲＡＭディスクの外観と物理構造を表した図である。なお，ＤＶＤ−ＲＡＭは一般的にはカートリッジに収納された状態でＤＶＤレコーダに装填される。記録面を保護するのが目的である。ただし，記録面の保護が別の構成で行われたり，容認できる場合にはカートリッジに収納せずに，ＤＶＤレコーダに直接装填できるようにしたりしても，もちろん良い。
【００１７】
ＤＶＤ−ＲＡＭディスクは相変化方式によりデータを記録する。ディスク上の記録データはセクタ単位で管理され，アクセス用のアドレスが付随する。１６個のセクタは誤り訂正の単位となり，誤り訂正コードが付与され，ＥＣＣブロックと呼称される。
【００１８】
図５（ａ）は，記録可能な光ディスクであるＤＶＤ−ＲＡＭディスクの記録領域を表した図である。同図のように，ＤＶＤ−ＲＡＭディスクは，最内周にリードイン領域を，最外周にリードアウト領域を，その間にデータ領域を配置している。リードイン領域は，光ピックアップのアクセス時においてサーボを安定させるために必要な基準信号や他のメディアとの識別信号などが記録されている。リードアウト領域もリードイン領域と同様の基準信号などが記録される。データ領域は，最小のアクセス単位であるセクタ（２０４８バイトとする）に分割されている。
【００１９】
また，ＤＶＤ−ＲＡＭは，記録・再生時においてＺ−ＣＬＶ（Ｚｏｎｅ  Ｃｏｎｓｔａｎｔ  Ｌｉｎｅａｒ  Ｖｅｌｏｃｉｔｙ）と呼ばれる回転制御を実現するために，データ領域が複数のゾーン領域に分割されている。
【００２０】
図５（ａ）は，ＤＶＤ−ＲＡＭに同心円状に設けられた複数のゾーン領域を示す図である。同図のように，ＤＶＤ−ＲＡＭは，ゾーン０〜ゾーン２３の２４個のゾーン領域に分割されている。ＤＶＤ−ＲＡＭの回転角速度は，内周側のゾーン程速くなるようにゾーン領域毎に設定され，光ピックアップが１つのゾーン内でアクセスする間は一定に保たれる。これにより，ＤＶＤ−ＲＡＭの記録密度を高めると共に，記録・再生時における回転制御を容易にしている。
【００２１】
図５（ｂ）は，図５（ａ）において同心円状に示したリードイン領域と，リードアウト領域と，ゾーン領域０〜２３を横方向に配置した説明図である。リードイン領域とリードアウト領域は，その内部に欠陥管理領域（ＤＭＡ：Ｄｅｆｅｃｔ  Ｍａｎａｇｅｍｅｎｔ  Ａｒｅａ）を有する。欠陥管理領域とは，欠陥が生じたセクタの位置を示す位置情報と，その欠陥セクタを代替するセクタが上記代替領域のいずれに存在するかを示す代替位置情報とが記録されている領域をいう。
【００２２】
各ゾーン領域はその内部にユーザ領域を有すると共に，境界部に代替領域及び未使用領域を有している。ユーザ領域は，ファイルシステムが記録用領域として利用することができる領域をいう。代替領域は，欠陥セクタが存在する場合に代替使用される領域である。未使用領域は，データ記録に使用されない領域である。未使用領域は，２トラック分程度設けられる。未使用領域を設けているのは，ゾーン内では隣接するトラックの同じ位置にセクタアドレスが記録されているが，Ｚ−ＣＬＶではゾーン境界に隣接するトラックではセクタアドレスの記録位置が異なるため，それに起因するセクタアドレス誤判別を防止するためである。
【００２３】
このようにゾーン境界にはデータ記録に使用されないセクタが存在する。そのためデータ記録に使用されるセクタのみを連続的に示すように，ＤＶＤ−ＲＡＭは，内周から順に論理セクタ番号（ＬＳＮ：Ｌｏｇｉｃａｌ  Ｓｅｃｔｏｒ  Ｎｕｍｂｅｒ）をユーザ領域の物理セクタに割り当てている。
【００２４】
図６は，論理セクタにより構成されるＤＶＤ−ＲＡＭの論理的なデータ空間を示す。論理的なデータ空間はボリューム空間と呼称され，ユーザデータを記録する。ボリューム領域は，記録データをファイルシステムで管理する。すなわち，データを格納する１群のセクタをファイルとして，さらには１群のファイルをディレクトリとして管理するための情報がボリューム空間内のパーティション空間内に記録され,パーティション空間等を管理するためのボリューム構造情報がボリューム領域の先頭と終端に記録される。本実施の形態のファイルシステムはＵＤＦと呼称され，ＩＳＯ１３３４６規格に準拠している。
【００２５】
なお，上記１群のセクタはボリューム空間で必ずしも連続的には配置されず，部分的に離散配置される。このため，ファイルシステムは，ファイルを構成するセクタ群のうち，ボリューム空間で連続的に配置される１群のセクタをエクステントとして管理し，ファイルを関連のあるエクステントの集合として管理する。
【００２６】
図７は，ＤＶＤ−ＲＡＭに記録される動画データのディレクトリとファイルの構造を示す。ルートの下に，ＶＩＤＥＯ＿ＲＴディレクトリがあり，この下に，再生用のデータである各種オブジェクトのファイルと，これらの再生順序や各種属性を示す管理情報としてＶＩＤＥＯ  Ｍａｎａｇｅｒファイルが格納される。
【００２７】
オブジェクトはＭＰＥＧ規格に準拠したデータであり，ＰＳ＿ＶＯＢ，ＴＳ１＿ＶＯＢ，ＴＳ２＿ＶＯＢ，ＡＯＢ，ＰＯＢ，ＭＮＦがある。
【００２８】
ＰＳ＿ＶＯＢ，ＡＯＢ，ＰＯＢはＭＰＥＧのプログラムストリーム（ＰＳ）であり，ＴＳ１＿ＶＯＢ及びＴＳ２＿ＶＯＢはトランスポートストリーム（ＴＳ）である。プログラムストリームは，パッケージメディアにＡＶ情報を格納することを考慮されたデータ構造を有し，一方，トランスポートストリームは通信メディアを考慮したデータ構造を有する。
【００２９】
一般的にはＰＳ＿ＶＯＢ，ＴＳ１＿ＶＯＢ，ＴＳ２＿ＶＯＢは，いずれも映像情報と音声情報を共に有し映像情報が主体となるオブジェクトである。このうち，ＴＳ１＿ＶＯＢは原則，ＤＶＤレコーダによりエンコードが行われ，内部のピクチャ構造が詳細に管理されているオブジェクトであり，ＴＳ２＿ＶＯＢはＤＶＤレコーダ外でエンコードされたオブジェクトであり，内部のピクチャ構造等のデータ構造が一部不明なオブジェクトである。
【００３０】
典型的には，ＴＳ１＿ＶＯＢは外部から入力されるアナログビデオ信号をＤＶＤレコーダがトランスポートストリームにエンコードしたオブジェクトであり，ＴＳ２＿ＶＯＢは外部から入力されるデジタルビデオ信号をエンコードすることなく直接ディスクに記録したオブジェクトである。
【００３１】
ＡＯＢ，ＰＯＢはＭＰＥＧのプログラムストリームであり，ＡＯＢは音声情報が主体となるオブジェクトであり，ＰＯＢは静止画が主体となるオブジェクトである。ＭＮＦは製造業者固有のファイルであり，記録／再生装置の動作を支援するための付加情報を格納する。
【００３２】
なお，これらＰＳ＿ＶＯＢ，ＰＯＢ，ＡＯＢ，ＴＳ１＿ＶＯＢ，ＴＳ２＿ＶＯＢについて，必ずしもすべてを記録する必要はない。
【００３３】
上述した，映像情報主体，音声情報主体とは，ビットレートの割当てが大きいことを意味する。ＶＯＢは映画等のアプリケーションに用いられ，ＡＯＢは音楽アプリケーションに用いられる。
【００３４】
図２０は，ＤＶＤ−ＲＡＭに記録される静止画データのディレクトリとファイルの構造を示す。ここでは，ＤＣＦ規格に従ったディレクトリ及びファイル構造を例に説明する。
【００３５】
ルートの下に，ＤＣＦイメージルートディレクトリ（ディレクトリ名：ＤＣＩＭ）があり，その下に画像格納用のＤＣＦディレクトリがある。
【００３６】
ＤＣＦディレクトリの下に再生用のデータであるＤＣＦオブジェクトが格納される。
【００３７】
ＤＣＦオブジェクトはＤＣＦで定められた規定に従って記録されたファイル群であり，ＤＣＦ基本ファイル，ＤＣＦ拡張画像ファイル，ＤＣＦサムネイルファイル等からなる。
【００３８】
ＤＣＦ基本ファイルは，ＤＣＦディレクトリ直下に記録され，ＤＣＦファイル名と拡張子"ＪＰＧ"を持ち，Ｅｘｉｆ規格に準拠しＤＣＦ規格で定めるデータ構造を有する画像ファイルである。
【００３９】
ＤＣＦ拡張画像ファイルは，ＤＣＦディレクトリ直下に記録され，ＤＣＦファイル名を持つがＤＣＦ基本ファイルと異なる拡張子及びデータ構造を持つ画像ファイルである。
【００４０】
ＤＣＦサムネイルファイルは，ＤＣＦ拡張画像ファイルのサムネイルを記録するための圧縮ファイルである。
【００４１】
なお，これらＤＣＦ基本ファイル，ＤＣＦ拡張画像ファイル，ＤＣＦサムネイルファイルについて，必ずしもすべてを記録する必要はない。
【００４２】
上述した，ＤＣＦ基本ファイルやＤＣＦ拡張画像ファイルは，近年のＣＣＤ等画像入力装置の発達により，非常に高精細な静止画データとして記録されるようになってきた。 
（４．再生されるＡＶ情報の概要）
図８は，ＤＶＤディスクに各種ＡＶオブジェクトとして記録されるＭＰＥＧデータの構造を示す図である。図８が示すようにビデオストリーム及びオーディオストリームは，それぞれ分割され多重される。ＭＰＥＧ規格においては，多重化後のストリームをシステムストリームと呼称する。ＤＶＤの場合，ＤＶＤ固有の情報が設定されたシステムストリームをＶＯＢ（Ｖｉｄｅｏ  Ｏｂｊｅｃｔ）と呼称している。分割の単位は，パック・パケットと称され，約２ＫＢｙｔｅのデータ量を有する。
【００４３】
ビデオストリームはＭＰＥＧ規格で符号化されており，可変ビットレートで圧縮されており，動きが激しい等の複雑な映像であればビットレートが高くなっている。ＭＰＥＧ規格では，映像の各ピクチャは，Ｉピクチャ，Ｐピクチャ，Ｂピクチャに種類分けして符号化される。このうち，Ｉピクチャはフレーム内で完結する空間的な圧縮符号化が施されており，Ｐピクチャ，Ｂピクチャはフレーム間の相関を利用した時間的な圧縮符号化が施されている。ＭＰＥＧでは少なくともＩピクチャを含む区間をＧＯＰ（Ｇｒｏｕｐ  ｏｆ  Ｐｉｃｔｕｒｅ）として管理する。ＧＯＰは早送り再生等の特殊再生におけるアクセスポイントになる。フレーム内圧縮されたＩピクチャを有するためである。一方，音声ストリームの符号化には，ＤＶＤの場合，ＭＰＥＧオーディオであるＡＡＣ，ＭＰ３に加え，ＡＣ３やＬＰＣＭの符号化が用いられる。
【００４４】
図８が示すように，ＧＯＰを構成するビデオ情報とそれに付随する音声情報とを含む多重化後のデータ単位はＶＯＢＵ（Ｖｉｄｅｏ  Ｏｂｊｅｃｔ  Ｕｎｉｔ）と称される。ＶＯＢＵには，当該動画区間の管理用の情報をヘッダ情報として含ませる場合がある。図８で説明したシステムストリームには，プログラムストリーム（ＰＳ）とトランスポートストリーム（ＴＳ）がある。前者はパッケージメディアを考慮したデータ構造を有し，後者は通信メディアを考慮したデータ構造を有する。
【００４５】
図９は，プログラムストリームとトランスポートストリームのデータ構造の概要を説明する図である。プログラムストリームは，伝送及び多重化の最小単位である固定長のパックからなり，パックはさらに，１つ以上のパケットを有する。パックもパケットもヘッダ部とデータ部を有する。ＭＰＥＧではデータ部をペイロードと称する。ＤＶＤの場合はパックの固定長はセクタサイズと整合性をとり２ＫＢになる。パックは複数のパケットを有することができるが，ＤＶＤの映像や音声を格納するパックは１パケットのみを有するため，特別な場合を除いて１パック＝１パケットになる。
【００４６】
一方，トランスポートストリームの伝送及び多重化の単位は固定長のＴＳパケットからなる。ＴＳパケットのサイズは１８８Ｂであり，通信用規格であるＡＴＭ伝送との整合性をとっている。ＴＳパケットは１つ以上が集まりＰＥＳパケットを構成する。ＰＥＳパケットはプログラムストリームとトランスポートストリームで共通する概念であり，データ構造は共通である。プログラムストリームのパックに格納されるパケットはＰＥＳパケットを直接構成し，トランスポートストリームのＴＳパケットは１つ以上が集まりＰＥＳパケットを構成する。
【００４７】
また，ＰＥＳパケットは符号化の最小単位であり，符号化が共通するビデオ情報，オーディオ情報をそれぞれ格納する。即ち，一つのＰＥＳパケット内に符号化方式の異なるビデオ情報，オーディオ情報が混在して格納されることはない。ただし，同じ符号化方式であればピクチャバウンダリやオーディオフレームのバウンダリは保証せずとも良い。図９に示すように複数のＰＥＳパケットで１つのＩピクチャを格納したり，１つのＰＥＳパケットに複数のピクチャデータを格納したりするケースもありうる。
【００４８】
図１０と図１１に，トランスポートストリームとプログラムストリームの個別のデータ構造を示す。図１０，図１１に示すように，ＴＳパケットは，ＴＳパケットヘッダと，適用フィールドと，ペイロード部から構成される。ＴＳパケットヘッダにはＰＩＤ（Ｐａｃｋｅｔ  Ｉｄｅｎｔｉｆｉｅｒ）が格納され，これにより，ＴＳパケットが所属するビデオストリーム又はオーディオストリーム等の各種ストリームが識別される。
【００４９】
適用フィールドにはＰＣＲ（Ｐｒｏｇｒａｍ  Ｃｌｏｃｋ  Ｒｅｆｅｒｅｎｃｅ）が格納される。ＰＣＲはストリームをデコードする機器の基準クロック（ＳＴＣ）の参照値である。機器は典型的にはＰＣＲのタイミングでシステムストリームをデマルチプレクスし，ビデオストリーム等の各種ストリームに再構築する。
【００５０】
ＰＥＳヘッダには，ＤＴＳ（Ｄｅｃｏｄｉｎｇ  Ｔｉｍｅ  Ｓｔａｍｐ）とＰＴＳ（Ｐｒｅｓｅｎｔａｔｉｏｎ  Ｔｉｍｅ  Ｓｔａｍｐ）が格納される。ＤＴＳは当該ＰＥＳパケットに格納されるピクチャ／オーディオフレームのデコードタイミングを示し，ＰＴＳは映像音声出力等のプレゼンテーションタイミングを示す。なお，すべてのＰＥＳパケットヘッダにＰＴＳ，ＤＴＳを有する必要はなく，Ｉピクチャの先頭データが格納開始されるＰＥＳパケットのヘッダにＰＴＳ，ＤＴＳがあればデコード及び出力に支障はない。
【００５１】
ＴＳパケットの構造の詳細は図１２に示される。図１２に示すように，適用フィールドにはＰＣＲに加えて，ランダムアクセス表示フラグが格納され，当該フラグにより，対応するペイロード部にビデオ・オーディオのフレーム先頭であってアクセスポイントとなりうるデータを格納するか否かを示す。また，ＴＳパケットのヘッダ部には前述したＰＩＤに加えて，ＰＥＳパケットの開始を示すユニット開始表示フラグ，適用フィールドが後続するか否かを示す適用フィールド制御情報も格納される。
【００５２】
図１１には，プログラムストリームを構成するパックの構造を示す。パックはパックヘッダにＳＣＲとＳｔｒｅａｍＩＤを有する。ＳＣＲはトランスポートストリームのＰＣＲと，ＳｔｒｅａｍＩＤはＰＩＤと実質同じである。またＰＥＳパケットのデータ構造はトランスポートストリームと共通なため，ＰＥＳヘッダにＰＴＳとＤＴＳが格納される。
【００５３】
プログラムストリームとトランスポートストリームの大きな違いの１つに，トランスポートストリームではマルチプログラムが許される点がある。即ち，番組という単位では１つの番組しかプログラムストリームは伝送できないが，トランスポートストリームは複数の番組を同時に伝送することを想定している。このため，トランスポートストリームでは，番組毎に番組を構成するビデオストリームとオーディオストリームがいずれかを再生装置が識別することが必要になる。
【００５４】
図１３に，番組を構成するオーディオストリームとビデオストリームの構成情報を伝送するＰＡＴテーブル，ＰＭＡＰテーブルを示す。図１３に示すように，番組毎に使用されるビデオストリームとオーディオストリームの組合せに関する情報をＰＭＡＰテーブルが格納し，番組とＰＭＡＰテーブルの組合せに関する情報をＰＡＴテーブルが格納する。再生装置は，ＰＡＴテーブル，ＰＭＡＰテーブルにより出力が要求された番組を構成するビデオストリームとオーディオストリームを検出することができる。
【００５５】
次に上述してきたプログラムストリームのパックと，トランスポートストリームのＴＳパケットのディスク上の配置に関して，図１４を用いて説明する。図１４（ａ）に示すように，１６個のセクタはＥＣＣブロックを構成する。プログラムストリームの形式をとるビデオオブジェクト（ＰＳ＿ＶＯＢ）を構成するパック（ＰＳ  Ｐａｃｋ）は，図１４（ｂ）が示すように，セクタバウンダリで配置される。パックサイズもセクタサイズも２ＫＢだからである。
【００５６】
一方，トランスポートストリームの形式をとるビデオオブジェクト（ＴＳ１−ＶＯＢ／ＴＳ２−ＶＯＢ）はカプセル（Ｃａｐｓｕｌｅ）という８ＫＢのサイズを有する単位でＥＣＣブロック内に配置される。カプセルは１８Ｂのヘッダ領域を有し，データ領域にはＡＴＳ情報が付加されたＴＳパケットが４３個配置される。ＡＴＳ情報（Ａｒｒｉｖａｌ  Ｔｉｍｅ  Ｓｔａｍｐ  Ｉｎｆｏｒｍａｔｉｏｎ）は，ＤＶＤレコーダにより生成し付加される情報であって，当該パケットがＤＶＤレコーダに外部より伝送されてきたタイミングを示す情報である。
【００５７】
上述の説明では，８ＫＢのＣａｐｓｕｌｅに４３個のＭＰＥＧトランスポートパケットを格納するとしたが，本発明はこれに限る訳ではなく，１つのＡＴＳ（固定バイト長）と１つのＭＰＥＧトランスポートパケットが対になった形式で，ＴＳ１−ＶＯＢ／ＴＳ２−ＶＯＢを形成する等の方法で記録しても良い。 
（５．ＡＶ情報の管理情報と再生制御の概要）
図１５，図１６は図７が示すところのビデオ管理情報（Ｖｉｄｅｏ  Ｍａｎａｇｅｒ）と称されるファイルのデータ構造を示す図である。ビデオ管理情報は，各種オブジェクトのディスク上の記録位置等の管理情報を示すオブジェクト情報と，オブジェクトの再生順序等を示す再生制御情報とを有する。
【００５８】
図１５はディスクに記録されるオブジェクトとして，ＰＳ−ＶＯＢ＃１〜ＰＳ−ＶＯＢ＃ｎ，ＴＳ１−ＶＯＢ＃１〜ＴＳ１−ＶＯＢ＃ｎ，ＴＳ２−ＶＯＢ＃１〜ＴＳ２−ＶＯＢ＃ｎがある場合を示す。図１５が示すように，これらオブジェクトの種類に応じて，ＰＳ−ＶＯＢ用の情報テーブルと，ＴＳ１−ＶＯＢ用の情報テーブルと，ＴＳ２−ＶＯＢ用の情報テーブルが個別に存在すると共に，各情報テーブルは各オブジェクトのＶＯＢ情報を有している。
【００５９】
ＶＯＢ情報は，それぞれ，対応するオブジェクトの一般情報と，オブジェクトの属性情報と，オブジェクトの再生時刻をディスク上のアドレスに変換するためのアクセスマップ，当該アクセスマップの管理情報を有している。一般情報は，対応するオブジェクトの識別情報，オブジェクトの記録時刻，製造者ＩＤ等を有し，属性情報は，ビデオストリームのコーディングモードをはじめとするビデオストリーム情報（Ｖ＿ＡＴＲ）と，オーディオストリームの本数（ＡＳＴ＿Ｎｓ）と，オーディオストリームのコーディングモードをはじめとするオーディオストリーム情報（Ａ＿ＡＴＲ）とから構成される。
【００６０】
アクセスマップを必要とする理由は２つある。まず１つは，再生経路情報がオブジェクトのディスク上での記録位置をセクタアドレス等で直接的に参照するのを避け，オブジェクトの再生時刻で間接的に参照できるようにするためである。ＲＡＭ媒体の場合，オブジェクトの記録位置が編集等で変更される場合がおこりうるが，再生経路情報がセクタアドレス等で直接的にオブジェクトの記録位置を参照している場合，更新すべき再生経路情報が多くなるためである。一方，再生時刻で間接的に参照している場合は，再生経路情報の更新は不要で，アクセスマップの更新のみ行えば良い。
【００６１】
２つ目の理由は，ＡＶストリームが一般に時間軸とデータ（ビット列）軸の二つの基準を有しており，この二つの基準間には完全な相関性がないためである。例えば，ビデオストリームの国際標準規格であるＭＰＥＧ−２ビデオの場合，可変ビットレート（画質の複雑さに応じてビットレートを変える方式）を用いることが主流になりつつあり，この場合，先頭からのデータ量と再生時間との間に比例関係がないため，時間軸を基準にしたランダムアクセスができない。この問題を解決するため，オブジェクト情報は，時間軸とデータ（ビット列）軸との間の変換を行うためのアクセスマップを有している。
【００６２】
図１５が示すように再生制御情報は，ユーザ定義再生経路情報テーブル，オリジナル再生経路情報テーブル，タイトルサーチポインタを有する。
【００６３】
図１６が示すように，再生経路には，ＤＶＤレコーダがオブジェクト記録時に記録されたすべてのオブジェクトを示すように自動生成するオリジナル定義再生経路情報と，ユーザが自由に再生シーケンスを定義できるユーザ定義再生経路情報の２種類がある。再生経路はＤＶＤではＰＧＣ情報（Ｐｒｏｇｒａｍ  Ｃｈａｉｎ  Ｉｎｆｏｒｍａｔｉｏｎ）と統一的呼称され，また，ユーザ定義再生経路情報はＵ−ＰＧＣ情報，オリジナル再生経路情報はＯ−ＰＧＣ情報と呼称される。
【００６４】
Ｏ−ＰＧＣ情報，Ｕ−ＰＧＣ情報はそれぞれ，オブジェクトの再生区間であるセルを示す情報であるセル情報をテーブル形式で列挙する情報である。Ｏ−ＰＧＣ情報で示されるオブジェクトの再生区間はオリジナルセル（Ｏ−ＣＥＬＬ）と呼称され，Ｕ−ＰＧＣ情報で示されるオブジェクトの再生区間はユーザセル（Ｕ−ＣＥＬＬ）と呼称される。
【００６５】
セルは，オブジェクトの再生開始時刻と再生終了時刻でオブジェクトの再生区間を示し，再生開始時刻と再生終了時刻は前述したアクセスマップにより，オブジェクトの実際のディスク上の記録位置情報に変換される。
【００６６】
図１６（ｂ）が示すように，ＰＧＣ情報により示されるセル群は，テーブルのエントリー順序に従って順次再生される一連の再生シーケンスを構成する。
【００６７】
図１７は，オブジェクト，セル，ＰＧＣ，アクセスマップの関係を具体的に説明する図である。図１７に示すように，オリジナルＰＧＣ情報５０は少なくとも１つのセル情報６０，６１，６２，６３を含む。セル情報６０は再生するオブジェクトを指定し，かつ，そのオブジェクトタイプ，オブジェクトの再生区間を指定する。ＰＧＣ情報５０におけるセル情報の記録順序は，各セルが指定するオブジェクトが再生されるときの再生順序を示す。
【００６８】
一つのセル情報６０には，それが指定するオブジェクトの種類を示すタイプ情報（Ｔｙｐｅ）６０ａと，オブジェクトの識別情報であるオブジェクトＩＤ（Ｏｂｊｅｃｔ  ＩＤ）６０ｂと，時間軸上でのオブジェクト内の開始時刻情報（Ｓｔａｒｔ＿ＰＴＭ）６０ｃと，時間軸上でのオブジェクト内の終了時刻情報（Ｅｎｄ＿ＰＴＭ）６０ｄと，Ｅｎｔｒｙ Ｐｏｉｎｔ情報（ＥＰＩ）６０ｅが含まれる。ＥＰＩは時刻情報で規定されるものであり，例えばブックマークのような役割を果たすものである。図には示していないが，セル中のＥｎｔｒｙ Ｐｏｉｎｔの個数は，セル情報中に記録されている。また，ＥＰＩは，そのＥｎｔｒｙ
ＰｏｉｎｔのＰＴＭと，Ｅｎｔｒｙ Ｐｏｉｎｔの種別情報などで構成されている。
【００６９】
データ再生時は，ＰＣＧ情報５０内のセル情報６０が順次読み出され，各セルにより指定されるオブジェクトが，セルにより指定される再生区間分再生されることになる。
【００７０】
アクセスマップ８０ｃは，セル情報が示す開始時刻情報と終了時刻情報とをオブジェクトのディスク上での位置情報に変換する。
【００７１】
上述したマップ情報であるが，オブジェクトの記録時に共に生成され記録される。マップを生成するためには，オブジェクトのデータ内のピクチャ構造を解析する必要がある。具体的には図９で示すＩピクチャの位置の検出と，図１０，図１１に示す当該Ｉピクチャの再生時刻であるＰＴＳ等のタイムスタンプ情報の検出が必要になる。
【００７２】
ここで，ＰＳ−ＶＯＢとＴＳ１−ＶＯＢとＴＳ２−ＶＯＢのマップ情報を生成する際に生じる問題について以下説明する。ＰＳ−ＶＯＢ，ＴＳ−ＶＯＢ１は，図１で説明したように主として，受信されたアナログ放送をＤＶＤレコーダがＭＰＥＧストリームにエンコードすることにより生成される。このため，Ｉピクチャや各種タイムスタンプの情報は自らが生成しており，ＤＶＤレコーダにとってストリーム内部のデータ構造は明確であり，マップ情報の生成に何の問題も生じない。
【００７３】
次に，ＴＳ２−ＶＯＢであるが，図１で説明したように主として，受信されたデジタル放送をＤＶＤレコーダがエンコードすることなく直接ディスクに記録する。このため，ＰＳ−ＶＯＢのようにＩピクチャの位置とタイムスタンプ情報を自ら生成するわけではないため，ＤＶＤレコーダにとってストリーム内部のデータ構造は明確ではなく，記録するデジタルストリームからこれら情報を検出することが必要になる。このため，ＤＶＤレコーダは，レコーダ外部にてエンコードされたストリームを記録しているＴＳ２−ＶＯＢのマップ情報については下記のようにＩピクチャとタイムスタンプを検出する。
【００７４】
まず，Ｉピクチャの検出は，図１２に示すＴＳパケットの適用フィールドのランダムアクセス表示情報を検出することにより行う。また，タイムスタンプの検出については，ＰＥＳヘッダのＰＴＳを検出することにより行う。タイムスタンプについては，ＰＴＳの代わりに，適用フィールドのＰＣＲや，ＴＳパケットがＤＶＤレコーダに伝送されてきた到着タイミングであるＡＴＳで代用することもある。いずれにせよ，ＤＶＤレコーダはＭＰＥＧストリームのビデオ層のデータ構造を解析することなく，その上位層であるシステム層の情報により，Ｉピクチャの位置を検出する。これは，マップ情報を生成するためにビデオ層の解析まで行うのはシステムの負荷が大きいためである。
【００７５】
また，システム層の検出が不可能な場合もありうるが，この場合は，マップ情報が生成できないため，有効なマップ情報が無いことを示すことが必要になる。ＤＶＤレコーダでは図１５（ｂ）に示すマップ管理情報によりこれらが示される。図１５（ｂ）に示すようにマップ管理情報は，マップ有効性情報と自己エンコーディングフラグとを有する。自己エンコーディングフラグは，ＤＶＤレコーダ自らがエンコードしたオブジェクトであることを示し，内部のピクチャ構造が明確であり，マップ情報のタイムスタンプ情報やＩピクチャの位置情報等が正確であることを示している。また，マップ有効性情報は，有効なアクセスマップがあるかないかを示す。
【００７６】
なお，システム層の検出が不可能な例としては，適用フィールドが設定されていない場合や，そもそもＭＰＥＧトランスポートストリームでないデジタルストリームの場合が考えうる。デジタル放送が世界各国で各種方式が成立しうるため，ＤＶＤレコーダがマップを生成できないオブジェクトを記録するケースも当然予想される。例えば，日本のデジタル放送を想定したＤＶＤレコーダを米国で使用し，米国のデジタル放送を記録した場合，マップを生成できないオブジェクトを記録するケースが出てくる。
【００７７】
ただし，ＤＶＤレコーダはマップ情報が生成されないオブジェクトについても，先頭から順次再生することは可能である。この場合，記録されたデジタルストリームをデジタルＩ／Ｆを介して，当該ストリームに対応したＳＴＢに出力することでこれを映像再生することができる。 
（６．再生機能の基本動作）
次に，図１８を用いて上記光ディスクを再生するＤＶＤレコーダプレーヤの再生動作について説明する。図１８に示すように，プレーヤは，ＤＶＤ−ＲＡＭディスク１００からデータを読み出す光ピックアップ２０１と，読み出したデータのエラー訂正等を行うＥＣＣ処理部２０２と，エラー訂正後の読み出しデータを一時的に格納するトラックバッファ２０３と，動画オブジェクト（ＰＳ＿ＶＯＢ）等のプログラムストリームを再生するＰＳデコーダ２０５と，デジタル放送オブジェクト（ＴＳ１＿ＶＯＢ）のトランスポートストリームを再生するＴＳデコーダ２０６と，オーディオ・オブジェクト（ＡＯＢ）を再生するオーディオデコーダ２０７と，静止画オブジェクト（ＰＯＢ）をデコードする静止画デコーダ２０８と，各デコーダ２０５，２０６へのデータ入力を切り替えるスイッチ２１０と，プレーヤの各部を制御する制御部２１１とを備える。
【００７８】
ＤＶＤ−ＲＡＭディスク１００上に記録されているデータは，光ピックアップ２０１から読み出され，ＥＣＣ処理部２０２を通してトラックバッファ２０３に格納される。トラックバッファ２０３に格納されたデータは，ＰＳデコーダ２０５，ＴＳデコーダ２０６，オーディオデコーダ２０７，静止画デコーダ２０８のいずれかに入力されデコード及び出力される。
【００７９】
このとき，制御部２１１は読み出すべきデータを図１６が示す再生経路情報（ＰＧＣ）が示す再生シーケンスに基づき決定する。即ち，図１６の例であれば，制御部２１１は，ＶＯＢ＃１の部分区間（ＣＥＬＬ＃１）を最初に再生し，次いで，ＶＯＢ＃３の部分区間（ＣＥＬＬ＃２）を再生し，最後にＶＯＢ＃２（ＣＥＬＬ＃３）と再生する制御を行う。
【００８０】
また，制御部２１１は，図１７が示す再生経路情報（ＰＧＣ）のセル情報により，再生するセルのタイプ，対応するオブジェクト，オブジェクトの再生開始時刻，再生終了時刻を獲得することができる。制御部２１１は，セル情報により特定されるオブジェクトの区間のデータを，適合するデコーダに入力する。
【００８１】
この際，制御部２１１は，セル情報のＯｂｊｅｃｔ  ＩＤにより再生対象のオブジェクトを特定する。さらに，制御部２１１は，特定したオブジェクトの再生区間であるセルの特定を，セル情報のＳｔａｒｔＰＴＭとＥｎｄＰＴＭを，対応するＶＯＢ情報のアクセスマップでディスク情報のアドレスに変換することにより行う。
【００８２】
また，本実施の形態のプレーヤは，さらに，ＡＶストリームを外部に供給するためのデジタルインタフェース２０４を有している。これにより，ＡＶストリームをＩＥＥＥ１３９４やＩＥＣ９５８などの通信手段を介して外部に供給することも可能である。これは，特に，自らがエンコードしていないＴＳ２−ＶＯＢについては，プレーヤ内部に該当するデコーダが存在しないケースもありうるため，デコードすることなく，直接，デジタルインタフェース２０４を通じて外部のＳＴＢに出力し，そのＳＴＢで再生させることができる。
【００８３】
外部にデジタルデータを直接出力する際には，制御部２１１は図１５（ｂ）のマップ管理情報に基づき，ランダムアクセス再生が可能かを否か判断する。アクセスポイント情報フラグが有効であれば，アクセスマップはＩピクチャの位置情報を有する。このため，制御部２１１は外部機器から早送り再生等の要求があればこれに応じて，Ｉピクチャを含むデジタルデータをデジタルＩ／Ｆを介して外部機器に出力することができる。また，タイムアクセス情報フラグが有効であれば，タイムアクセスが可能である。このため制御部２１１は，外部の機器からのタイムアクセスの要求に応じて，指定された再生時刻に相当するピクチャデータを含むデジタルデータをデジタルＩ／Ｆを介して外部機器に出力することができる。 
（７．記録機能の基本動作）
次に，図１９を用いて上記光ディスクに対して記録，再生を行う本発明に係るＤＶＤレコーダの構成及び動作について説明する。図１９に示すように，ＤＶＤレコーダは，ユーザへの表示及びユーザからの要求を受け付けるユーザＩ／Ｆ部２２２，ＤＶＤレコーダ全体の管理及び制御を司るシステム制御部２１２，ＶＨＦ及びＵＨＦを受信するアナログ放送チューナ２１３，アナログ信号をデジタル信号に変換しＭＰＥＧプログラムストリームにエンコードするエンコーダ２１４，デジタル衛星放送を受信するデジタル放送チューナ２１５，デジタル衛星で送られるＭＰＥＧトランスポートストリームを解析する解析部２１６，テレビ及びスピーカなどの表示部２１７，ＡＶストリームをデコードするデコーダ２１８とを備える。
【００８４】
また，記録機がＤＶＤカムコーダである場合，映像を入力するカメラ部２２３とカメラ部２２３から送られてくるＡＶ信号をＪＰＥＧストリームにエンコードする静止画エンコーダ２２４を備える。
【００８５】
デコーダ２１８は，図１８に示した第１及び第２のデコーダ等からなる。さらに，ＤＶＤレコーダは，デジタルＩ／Ｆ部２１９と，書き込みデータを一時的に格納するトラックバッファ２２０と，ＤＶＤ−ＲＡＭディスク１００にデータを書き込むドライブ２２１とを備える。デジタルＩ／Ｆ部２１９はＩＥＥＥ１３９４やＵＳＢ等の通信手段により外部機器にデータを出力するインタフェースである。
【００８６】
このように構成されるＤＶＤレコーダにおいては，ユーザＩ／Ｆ部２２２が最初にユーザからの要求を受ける。ユーザＩ／Ｆ部２２２はユーザからの要求をシステム制御部２１２に伝え，システム制御部２１２はユーザからの要求を解釈すると共に各モジュールへの処理要求を行う。
【００８７】
録画には，入力されるデジタルデータを自らエンコードするセルフエンコーディングと，エンコード済みのデジタルデータをエンコードすることなくディスクに記録するアウトサイドエンコーディングがある。
（７．１  セルフエンコーディングによる録画動作）
最初にセルフエンコーディングの録画について，アナログ放送をＰＳ−ＶＯＢにエンコードして記録する動作を以下，具体的に説明する。システム制御部２１２はアナログ放送チューナ２１３への受信とエンコーダ部２１４へのエンコードを要求する。エンコーダ部２１４はアナログ放送チューナ２１３から送られるＡＶデータをビデオエンコード，オーディオエンコード及びシステムエンコードしてトラックバッファ２２０に送出する。
【００８８】
エンコーダ部２１４は，エンコード開始直後に，エンコードしているＭＰＥＧプログラムストリームの先頭データが有するタイムスタンプ情報を再生開始時刻（ＰＳ＿ＶＯＢ＿Ｖ＿Ｓ＿ＰＴＭ）としてシステム制御部２１２に送り，続いてアクセスマップを作成するために必要な情報をエンコード処理と平行してシステム制御部２１２に送る。この値は，後に生成される図１７に示すセル情報のＳｔａｒｔ＿ＰＴＭに設定される。タイムスタンプ情報は，一般的にはＰＴＳになるがＳＣＲで代用しても良い。
【００８９】
次にシステム制御部２１２は，ドライブ２２１に対して記録要求を出し，ドライブ２２１はトラックバッファ２２０に蓄積されているデータを取り出しＤＶＤ−ＲＡＭディスク１００に記録する。この際，前述した連続領域（ＣＤＡ）をディスク上の記録可能領域から検索し，検索した連続領域にデータを記録していく。録画終了はユーザからのストップ要求によって指示される。ユーザからの録画停止要求は，ユーザＩ／Ｆ部２２２を通してシステム制御部２１２に伝えられ，システム制御部２１２はアナログ放送チューナ２１３とエンコーダ部２１４に対して停止要求を出す。
【００９０】
エンコーダ２１４はシステム制御部２１２からのエンコード停止要求を受けエンコード処理を止め，最後にエンコードを行ったＭＰＥＧプログラムストリームの終端データが有するタイムスタンプ情報を再生終了時刻（ＰＳ＿ＶＯＢ＿Ｖ＿Ｅ＿ＰＴＭ）として，システム制御部２１２に送る。この値は，図１７に示すセル情報のＥｎｄ＿ＰＴＭに設定される。タイムスタンプ情報は通常ＰＴＳが設定されるが，ＳＣＲで代用しても良い。
【００９１】
システム制御部２１２は，エンコード処理終了後，エンコーダ２１４から受け取った情報に基づき，図１５に示すＰＳ−ＶＯＢ用のＶＯＢ情報（ＰＳ−ＶＯＢＩ）と再生制御情報を生成する。ここで，生成されるＶＯＢ情報はオブジェクト種類に適合したアクセスマップとマップ管理情報とを含む。システム制御部２１２は，マップ管理情報のマップ有効性情報を有効に設定すると共に，自己エンコーディングフラグをＯＮにする。
【００９２】
また，再生制御情報は，記録されるオブジェクトを再生対象の１つとする図１６に示すオリジナル再生経路（Ｏ−ＰＧＣ情報）が生成される。生成されたＯ−ＰＧＣ情報はオリジナル再生経路テーブルに追記される。オリジナル再生経路（Ｏ−ＰＧＣ情報）はセル情報を有する。セル情報のタイプ情報には「ＰＳ−ＶＯＢ」が設定される。
【００９３】
最後にシステム制御部２１２は，ドライブ２２１に対してトラックバッファ２２０に蓄積されているデータの記録終了と，ＰＳ−ＶＯＢ用のＶＯＢ情報（ＰＳ＿ＶＯＢＩ）及び再生制御情報の記録を要求し，ドライブ２２１がトラックバッファ２２０の残りデータと，これらの情報をＤＶＤ−ＲＡＭディスク１００に記録し，録画処理を終了する。
【００９４】
なお，アナログ放送をＴＳ１−ＶＯＢにエンコードしてももちろん良い。この場合，エンコーダ２１４はアナログ信号をデジタル信号に変換しＭＰＥＧトランスポートストリームにエンコードするエンコーダである必要があり，セル情報内のタイプ情報は「ＴＳ１−ＶＯＢ」に設定される。この場合のＳｔａｒｔ＿ＰＴＭ及びＥｎｄ＿ＰＴＭは，ＰＴＳでも良いしＰＣＲを用いても良い。
（７．２  アウトサイドエンコーディングによる録画動作）
次にアウトサイドエンコーディングによる録画について，デジタル放送を録画する動作を通して以下，具体的に説明する。この場合，記録されるオブジェクトの種類はＴＳ２−ＶＯＢになる。ユーザによるデジタル放送録画要求は，ユーザＩ／Ｆ部２２２を通してシステム制御部２１２に伝えられる。システム制御部２１２はデジタル放送チューナ２１５への受信と解析部２１６へのデータ解析を要求する。
【００９５】
デジタル放送チューナ２１５から送られるＭＰＥＧトランスポートストリームは解析部２１６を通してトラックバッファ２２０へ転送される。解析部２１６は，最初にデジタル放送として受信されたエンコード済みのＭＰＥＧトランスポートストリーム（ＴＳ２−ＶＯＢ）のＶＯＢ情報（ＴＳ２＿ＶＯＢＩ）の生成に必要な情報として，トランスポートストリームの先頭データが有するタイムスタンプ情報を開始時刻情報（ＴＳ２＿ＶＯＢ＿Ｖ＿Ｓ＿ＰＴＭ）として抽出し，システム制御部２１２に送る。開始時刻情報は，後に生成される図１７に示すセル情報のＳｔａｒｔ＿ＰＴＭに設定される。このタイムスタンプ情報は，ＰＣＲ又はＰＴＳになる。また，オブジェクトがＤＶＤレコーダに伝送されてくるタイミングであるＡＴＳで代用しても良い。
【００９６】
解析部２１６は，さらに，ＭＰＥＧトランスポートストリームのシステム層を解析し，アクセスマップ作成に必要な情報を検出する。Ｉピクチャのオブジェクト内での位置については，前述したようにＴＳパケットヘッダ中の適用フィールド（ａｄａｐｔａｔｉｏｎ  ｆｉｅｌｄ）内のランダムアクセスインジケータ（ｒａｎｄａｍ＿ａｃｃｅｓｓ＿ｉｎｄｉｃａｔｏｒ）をもとに検出する。
【００９７】
次にシステム制御部２１２は，ドライブ２２１に対して記録要求を出力し，ドライブ２２１はトラックバッファ２２０に蓄積されているデータを取り出しＤＶＤ−ＲＡＭディスク１００に記録する。この時，システム制御部２１２はファイルシステムのアロケーション情報からディスク上のどこに記録するかを併せてドライブ２２１に指示する。この際，前述した連続領域（ＣＤＡ）をディスク上の記録可能領域から検索し，検索した連続領域にデータを記録していく。
【００９８】
録画終了はユーザからのストップ要求によって指示される。ユーザからの録画停止要求は，ユーザＩ／Ｆ部２２２を通してシステム制御部２１２に伝えられ，システム制御部２１２はデジタル放送チューナ２１５と解析部２１６に停止要求を出す。
【００９９】
解析部２１６はシステム制御部２１２からの解析停止要求を受け解析処理を止め，最後に解析を行ったＭＰＥＧトランスポートストリームの終了区間のデータが有するタイムスタンプ情報を表示終了時刻（ＴＳ２＿ＶＯＢ＿Ｖ＿Ｅ＿ＰＴＭ）としてシステム制御部２１２に送る。この値は，図１７に示すセル情報のＥｎｄ＿ＰＴＭに設定される。このタイムスタンプ情報は，ＰＣＲ又はＰＴＳになる。また，オブジェクトがＤＶＤレコーダに伝送されてくるタイミングであるＡＴＳで代用しても良い。
【０１００】
システム制御部２１２は，デジタル放送の受信処理終了後，解析部２１６から受け取った情報に基づき，図１５に示すＴＳ２−ＶＯＢ用のＶＯＢ情報（ＴＳ２＿ＶＯＢＩ）と再生制御情報を生成する。ここで，生成されるＶＯＢ情報はオブジェクト種類に適合したアクセスマップとマップ管理情報とを含む。システム制御部２１２は，Ｉピクチャのオブジェクト内での位置等を検出でき有効なアクセスマップを生成した場合にはマップ管理情報のマップ有効性情報を有効に設定する。
【０１０１】
また自己エンコーディングフラグはＯＦＦ設定をする。有効なアクセスマップを生成できなかった場合にはマップ有効性情報を無効に設定する。なお，有効なアクセスマップを生成できないケースとしては，対応していないデジタル放送を受信した場合や，適用フィールドにランダムアクセス情報が無い場合等が考えられる。また，デジタルＩ／Ｆから直接入力された場合は，ＭＰＥＧトランスポートストリームでないケースもありえ，この場合も当然，マップ有効性情報は無効に設定される。
【０１０２】
また，再生制御情報は，記録されるオブジェクトを再生対象の１つとする図１６に示すオリジナル再生経路（Ｏ−ＰＧＣ情報）が生成される。生成されたＯ−ＰＧＣ情報はオリジナル再生経路テーブルに追記される。オリジナル再生経路（Ｏ−ＰＧＣ情報）はセル情報を有する。セル情報のタイプ情報には「ＴＳ２−ＶＯＢ」が設定される。
【０１０３】
最後にシステム制御部２１２は，ドライブ２２１に対してトラックバッファ２２０に蓄積されているデータの記録終了と，ＴＳ２−ＶＯＢ用のＶＯＢ情報（ＴＳ２＿ＶＯＢＩ）及び再生制御情報の記録を要求し，ドライブ２２１がトラックバッファ２２０の残りデータと，これらの情報をＤＶＤ−ＲＡＭディスク１００に記録し，録画処理を終了する。
【０１０４】
以上，ユーザからの録画開始及び終了要求をもとに動作を説明したが，例えば，ＶＴＲで使用されているタイマー録画の場合では，ユーザの代わりにシステム制御部が自動的に録画開始及び終了要求を発行するだけであって，本質的にＤＶＤレコーダの動作が異なるものではない。
静止画の記録に関しては，入力されるＡＶ信号を自らエンコードするセルフエンコーディングと，エンコード済みのデジタルデータ(静止画ファイル)をエンコードすることなくディスクに記録するアウトサイドエンコーディングがある。
（７．３  セルフエンコーディングによる静止画記録動作）
静止画の記録に関して，カメラ部２２３から送られてくるＡＶデータをＪＰＥＧエンコードして記録する動作を以下，具体的に説明する。
【０１０５】
システム制御部２１２はカメラ部２２３へのＡＶデータ出力と静止画エンコーダ部２２４へのエンコードを要求する。静止画エンコーダ部２２４はカメラ部２２３から送られるＡＶデータをＪＰＥＧエンコードしてトラックバッファ２２０に送出する。
【０１０６】
次にシステム制御部２１２は，ドライブ２２１に対して記録要求を出し，ドライブ２２１はトラックバッファ２２０に蓄積されているデータを取り出しＤＶＤ−ＲＡＭディスク１００に記録する。
【０１０７】
このとき，システム制御部２１２は，ファイルシステムの情報から，必要に応じてＤＣＦイメージルートディレクトリやＤＣＦディレクトリを作成し，既に記録されているＤＣＦオブジェクトとファイル名が重ならないよう，名前を付けて，静止画ファイルをＤＶＤ−ＲＡＭディスク１００に記録する。
【０１０８】
一枚の静止画ファイルが記録されたら録画は終了する。あるいは，ユーザから連続撮影の指示があった場合は，ユーザからのストップ要求によって終了するか，所定の枚数の静止画ファイルを記録して終了する。
【０１０９】
ユーザからの録画停止要求は，ユーザＩ／Ｆ部２２２を通してシステム制御部２１２に伝えられ，システム制御部２１２はカメラ部２２３と静止画エンコーダ部２２４に対して停止要求を出す。
（７．４  アウトサイドエンコーディングによる静止画記録動作）
また，静止画の記録に関して，デジタルＩ／Ｆ部２１９から静止画ファイルを入力して記録する動作を以下,具体的に説明する。
【０１１０】
デジタルＩ／Ｆ部２１９から送られるＤＣＦオブジェクトはトラックバッファ２２０へ転送される。
【０１１１】
次にシステム制御部２１２は，ドライブ２２１に対して記録要求を出力し，ドライブ２２１はトラックバッファ２２０に蓄積されているデータを取り出しＤＶＤ−ＲＡＭディスク１００に記録する。
【０１１２】
このとき，システム制御部２１２は，ファイルシステムの情報から，必要に応じてＤＣＦイメージルートディレクトリやＤＣＦディレクトリを作成し，既に記録されているＤＣＦオブジェクトとファイル名が重ならないよう，名前を付けて，静止画ファイルをＤＶＤ−ＲＡＭディスク１００に記録する。
【０１１３】
なお，DVDレコーダがPCとSCSIやATAPI等で接続され,PCからDVDレコーダに静止画が送られる場合,PC側でDVD-RAM１００上のファイルシステム情報の操作（DCFディレクトリの作成やDCFオブジェクト名の設定など）を行う場合もある。
【０１１４】
一枚の静止画ファイルが記録されたら録画は終了する。ユーザから連続記録の指示があった場合は，ユーザからのストップ要求によって終了するか，所定の枚数の静止画ファイルを記録して終了する。
【０１１５】
ユーザからの録画停止要求は，ユーザＩ／Ｆ部２２２を通してシステム制御部２１２に伝えられ，システム制御部２１２はデジタルＩ／Ｆ部２１９に対して停止要求を出す。
【０１１６】
この様な、ＤＶＤレコーダがメモリカードI/F部を介してメモリカードに記録済みの静止画データをたくさんインポートする場合、インポート後の静止画を高速に検索し、閲覧可能なことが求められる（例えば、特許文献１参照。）。以下に、インポート後の静止画を高速に検索し、閲覧可能にするＤＶＤ−ＲＡＭの記録フォーマットについて説明する。
【０１１７】
図６２に、複数の静止画ファイル（ＤＳＣオブジェクト）３０２、３０３、３０４を格納したＤＶＤ−ＲＡＭディスク３０１を示す。紙面に向かって左側がＤＶＤ−ＲＡＭディスク３０１の内周側であり、右側がＤＶＤ−ＲＡＭディスク３０１の外周側である。図６２では、３つの静止画ファイル３０２、３０３、３０４が記録されているが、実際には多数の静止画ファイル３０２、３０３、３０４が記録されているものとする。
【０１１８】
静止画ファイルは３０２、３０３、３０４はそれぞれ、付属情報及び圧縮データの組で構成されている。圧縮データは、例えば、撮像されたＪＰＥＧ画像データである。また、付属情報には、そのＪＰＥＧ画像データをサムネール表示する場合に用いるサムネール画像データ、及び静止画ファイル３０２、３０３、３０４を検索するための日付情報や絞りやシャッタースピードなどのメタデータが含まれている。
【０１１９】
図６２のＤＶＤ−ＲＡＭディスク３０１に格納された静止画ファイル３０２、３０３、３０４をサムネール表示する場合、各静止画ファイル３０２、３０３、３０４にアクセスして、各付属情報のサムネール画像データを読みとる必要がある。しかし、各付属情報のサムネール画像データを読みとるためには、再生装置のシーク動作が多くなってしまう。このため、サムネール表示を行うには時間がかかるという課題があった。
【０１２０】
特許文献１は、このような課題を解決するために提案されたものである。すなわち、図６３（ａ）に、特許文献１の方法によって、静止画ファイル（ＤＳＣオブジェクト）が記録されたＤＶＤ−ＲＡＭディスク３０５を示す。図６３（ａ）では、紙面に向かって左側がＤＶＤ−ＲＡＭディスク３０５の内周側であり、右側がＤＶＤ−ＲＡＭディスク３０５の外周側である。各静止画ファイルは、付属情報の部分と圧縮データの部分とがＤＶＤ−ＲＡＭディスク３０５の異なる記録領域に記録されている。
【０１２１】
すなわち、ＤＶＤ−ＲＡＭディスク３０５の内周側の領域３０９には、静止画ファイルを構成する付属情報がまとめて記録されており、ＤＶＤ−ＲＡＭディスク３０５の外周側の領域３１０には、静止画ファイルを構成する圧縮データが記録されている。例えば、付属情報（３０６ａ）と圧縮データ３０６ｂとで構成される静止画ファイルの付属情報（３０６ａ）と圧縮データ３０６ｂとはそれぞれＤＶＤ−ＲＡＭディスク３０５の内周側の領域３０９と外周側の領域３１０とに別々に記録されている。
【０１２２】
ＤＶＤ−ＲＡＭディスク３０５でサムネール表示を行うためには、ＤＶＤ−ＲＡＭディスク３０５の内周側の領域３０９に格納されている付属情報（３０６ａ）、付属情報（３０７ｂ）、付属情報（３０８ａ）を例えばディスクの内周側から外周側に向かって順に読み出すだけでよい。従って、図６２のＤＶＤ−ＲＡＭディスク３０１のような長時間のシーク動作は発生しない。このように、特許文献１の方法では、大量の静止画ファイルがＤＶＤ−ＲＡＭディスク３０５に記録されていたとしても高速にサムネール表示をすることが出来るようになる。また、付属情報の部分に格納されている日付情報などを用いて、静止画ファイルの検索を行う場合、図６３（ａ）に示された矢印のように、サムネール表示の場合と同様に、各付属情報に少ないシーク動作でアクセスすることが出来るので、高速に検索出来るようになる。
【特許文献１】ＷＯ  ０２／２３８９８
【発明の開示】
【発明が解決しようとする課題】
【０１２３】
しかしながら、特許文献１の構成では１枚の静止画を再生する場合に、静止画ファイルのヘッダ部分と後続部分が物理的に分離しているため、ヘッダ部分と後続部分間で必ずシーク動作が発生する。従って、表示処理に遅延時間が発生するという問題点があった。仮にヘッダ部分をＤＶＤレコーダのメモリ上に配置したとしても、非常にたくさんの静止画のＪＰＥＧヘッダ部をメモリ上に全て置くことは難しかった。４．７ＧＢｙｔｅの容量のＤＶＤ−ＲＡＭディスク上であれば、５００ｋＢｙｔｅの静止画を９４００枚も記録できる。従って、このような大量の静止画を記録した場合には、表示処理の際に発生する遅延時間も無視出来ないものとなる。
【０１２４】
図６３（ｂ）に静止画ファイルの静止画を表示する場合の動作を示す。静止画ファイルの静止画を表示する場合には、静止画ファイルを構成する付属情報と圧縮データとの両者にアクセスする必要がある。このような場合には、例えば、ＤＶＤ−ＲＡＭディスク３０５の内周側の領域３０９に記録されている付属情報（３０６）ａにアクセスした後、ＤＶＤ−ＲＡＭディスク３０５の外周側の領域３１０に記録されている圧縮データ３０６ｂにアクセスする必要があり、図６３（ｂ）に示すようにシーク動作が発生してしまう。このように、静止画を表示する場合の動作のように、静止画ファイルを構成する付属情報と圧縮データとに共にアクセスする必要がある場合には、長時間のシーク動作が発生するという課題がある。
【０１２５】
さらに、このようなＤＶＤ−ＲＡＭディスクにおいてＡＶデータの記録を行う場合，円滑な動画像データ及び静止画データの連携が可能であることが望まれる。例えば，異なるデータフォーマットで記録される動画像データ及び静止画データの記録された順番を保存し，それを再生時に再現したり，動画区間ではＭＰＥＧ等の動画に適したフォーマットで映像を再生し，その一方で，静止画の再生区間においては，高精細なJPEGデータの映像を表示したりする，等である。
【０１２６】
さらに，動画像データ及び静止画データの連携において，記録を行った機器以外の機器を用いて，動画像データ及び静止画データの連携再生を行った場合でも，ユーザに混乱を与えることなく，AVデータの再生を実現する必要がある。
【０１２７】
本発明は、上記課題を考慮し、記録時の絞りやシャッタースピード等を指定して静止画を検索処理する際の処理速度を速くすることが出来る記録媒体、記録装置、再生装置、記録方法、再生方法、及びプログラムを提供することを目的とするものである。
【０１２８】
また、本発明は、上記課題を考慮し、サムネイルのインデックス表示速度を速くすることが出来る記録媒体、記録装置、再生装置、記録方法、再生方法、及びプログラムを提供することを目的とするものである。
【０１２９】
また、本発明は、上記課題を考慮し、静止画ファイルのインポート処理速度を速くすることが出来る記録媒体、記録装置、再生装置、記録方法、再生方法、及びプログラムを提供することを目的とするものである。
【０１３０】
また、本発明は、上記課題を考慮し、静止画ファイルの表示処理速度を速くすることが出来る記録媒体、記録装置、再生装置、記録方法、再生方法、及びプログラムを提供することを目的とするものである。
【０１３１】
また、本発明は、上記課題を考慮し、ＤＶＤ−ＲＡＭディスクに記録されたデータに対する、円滑な動画像データ及び静止画データの連携再生を実現することが出来る記録媒体、記録装置、再生装置、記録方法、及び再生方法を提供することを目的とするものである。
【０１３２】
また、本発明は、上記課題を考慮し、動画像データ及び静止画データの連携において、記録を行った機器以外の機器を用いて、動画像データ及び静止画データの連携再生を行った場合でも，ユーザに混乱を与えることなく、ＡＶデータの再生を実現することが出来る記録媒体、記録装置、再生装置、記録方法、及び再生方法を提供することを目的とするものである。
【課題を解決するための手段】
【０１３３】
上述した課題を解決するために、第１の本発明は、画像情報、及び前記画像情報に関する付属情報を有する画像ファイルを複数記録した記録媒体であって、
第１の領域には、複数の前記画像ファイルが記録されており、
前記第１の領域とは異なった領域である第２の領域には、複数の前記画像ファイルにそれぞれ対応する前記付属情報の全体のコピーまたは一部のコピーが複数記録されている記録媒体である。
【０１３４】
また、第２の本発明は、前記付属情報とは、前記画像情報のサムネール画像情報または前記画像情報を検索するための検索情報を少なくとも含み、
前記付属情報の全体のコピーまたは一部のコピーとは、前記画像情報のサムネール画像情報のコピーまたは前記画像情報を検索するための検索情報の全体のコピーまたは一部のコピーを少なくとも含む第１の本発明の記録媒体である。
【０１３５】
また、第３の本発明は、前記第１の領域とは、ユーザが使用するデータをも記録することが出来るユーザ領域であり、
前記第２の領域とは、前記データを管理する管理情報を記録する管理領域である第１の本発明の記録媒体である。
【０１３６】
また、第４の本発明は、前記第２の領域には、前記付属情報だけが記録されている第３の本発明の記録媒体である。
【０１３７】
また、第５の本発明は、前記画像ファイルは、Ｅｘｉｆ画像ファイルであり、
前記画像情報は、前記Ｅｘｉｆ画像ファイルに含まれるＥｘｉｆ主画像及びＥＯＩ（エンドオブイメージ）であり、
前記付属情報は、前記Ｅｘｉｆ画像ファイルに含まれるＡＰＰ１（アプリケーションデータセグメント１）及びＳＯＩ（スタートオブイメージ）であり、
前記付属情報の全体のコピーまたは一部のコピーは、前記ＡＰＰ１及びＳＯＩである、または前記ＡＰＰ１である、または前記ＡＰＰ１から先頭２バイトを除いた部分である、または前記ＡＰＰ１から先頭４バイトを除いた部分である第１の本発明の記録媒体である。
【０１３８】
また、第６の本発明は、前記画像ファイルは、ＤＣＦ基本ファイルであり、
前記画像情報は、前記ＤＣＦ基本ファイルに含まれるＥｘｉｆ主画像及びＥＯＩ（エンドオブイメージ）であり、
前記付属情報は、前記ＤＣＦ基本ファイルに含まれるＡＰＰ１（アプリケーションデータセグメント１）及びＳＯＩ（スタートオブイメージ）であり、
前記付属情報の全体のコピーまたは一部のコピーは、前記ＡＰＰ１及びＳＯＩである、または前記ＡＰＰ１である、または前記ＡＰＰ１から先頭２バイトを除いた部分である、または前記ＡＰＰ１から先頭４バイトを除いた部分である第１の本発明の記録媒体である。
【０１３９】
また、第７の本発明は、前記画像ファイルは、Ｅｘｉｆ規格に準拠したＴＩＦＦファイル、及び前記ＴＩＦＦファイルに対応する縮小画像情報であるＤＣＦサムネールファイルであり、
前記画像情報は、前記ＴＩＦＦファイルに含まれるＴＩＦＦ画像情報であり、
前記付属情報は、前記ＴＩＦＦファイルに含まれるＥｘｉｆ規格準拠の付属情報、及び前記ＤＣＦサムネールファイルである第１の本発明の記録媒体である。
【０１４０】
また、第８の本発明は、画像情報、及び前記画像情報に関する付属情報から構成される画像ファイルを複数入力する入力手段と、
記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを複数記録する記録手段とを備えた記録装置である。
【０１４１】
また、第９の本発明は、前記付属情報とは、前記画像情報のサムネール画像情報または前記画像情報を検索するための検索情報を少なくとも含み、
前記付属情報の全体のコピーまたは一部のコピーとは、前記画像情報のサムネール画像情報のコピーまたは前記画像情報を検索するための検索情報の全体のコピーまたは一部のコピーを少なくとも含む第８の本発明の記録装置である。
【０１４２】
また、第１０の本発明は、前記第１の領域とは、ユーザが使用するデータをも記録することが出来るユーザ領域であり、
前記第２の領域とは、前記ユーザが使用するデータを記録することが出来ない管理領域である第８の本発明の記録装置である。
【０１４３】
また、第１１の本発明は、第８の本発明の記録装置によって記録された記録媒体に格納されている前記画像情報及び前記付加情報を再生する再生装置であって、
一つまたは複数の前記画像情報を再生する場合、前記第１の領域に格納されている一つまたは複数の前記画像ファイルを読み出し、一つまたは複数の前記付加情報を再生する場合、前記第２の領域に格納されている一つまたは複数の前記付加情報のコピーを読み出す読み出し手段と、
読み出された前記画像ファイルまたは前記付加情報を出力する出力手段とを備えた再生装置である。
【０１４４】
また、第１２の本発明は、前記付属情報とは、前記画像情報のサムネール画像情報または前記画像情報を検索するための検索情報を少なくとも含み、
前記付属情報の全体のコピーまたは一部のコピーとは、前記画像情報のサムネール画像情報のコピーまたは前記画像情報を検索するための検索情報の全体のコピーまたは一部のコピーを少なくとも含む第１１の本発明の再生装置である。
【０１４５】
また、第１３の本発明は、前記第１の領域とは、ユーザが使用するデータをも記録することが出来るユーザ領域であり、
前記第２の領域とは、前記ユーザが使用するデータを記録することが出来ない管理領域である第１１の本発明の再生装置である。
【０１４６】
また、第１４の本発明は、画像情報、及び前記画像情報に関する付属情報から構成される画像ファイルを複数入力する入力ステップと、
記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを複数記録する記録ステップとを備えた記録方法である。
【０１４７】
また、第１５の本発明は、第１４の本発明の記録方法によって記録された記録媒体に格納されている前記画像情報及び前記付加情報を再生する再生方法であって、
一つまたは複数の前記画像情報を再生する場合、前記第１の領域に格納されている一つまたは複数の前記画像ファイルを読み出し、一つまたは複数の前記付加情報を再生する場合、前記第２の領域に格納されている一つまたは複数の前記付加情報のコピーを読み出す読み出しステップと、
読み出された前記画像ファイルまたは前記付加情報を出力する出力ステップとを備えた再生方法である。
【０１４８】
また、第１６の本発明は、ビデオオブジェクト、及び前記ビデオオブジェクトの再生を管理する管理情報、及び前記ビデオオブジェクトとは異なるオブジェクトである外部オブジェクトが記録されている記録媒体であって、
記録機器及び再生機器の機能に対する拡張情報が記録されており、
前記拡張情報は、前記外部オブジェクトへの参照情報、及び前記外部オブジェクトの表示時間情報を含む記録媒体である。
【０１４９】
また、第１７の本発明は、前記拡張情報は、前記ビデオオブジェクトと前記外部オブジェクトとが記録された順番を再現するための情報を含む第１６の本発明の記録媒体である。
【０１５０】
また、第１８の本発明は、前記外部オブジェクトの表示時間情報に対応する前記ビデオオブジェクトの区間に格納されるデータは、所定のデータを前記ビデオオブジェクトと同じ符号化方式で符号化したデータである第１６の本発明の記録媒体である。
【０１５１】
また、第１９の本発明は、前記所定のデータとは、前記外部オブジェクトと同じ映像データを前記ビデオオブジェクトと同じ符号化方式で符号化したデータである第１８の本発明の記録媒体である。
【０１５２】
また、第２０の本発明は、前記拡張情報は、前記外部オブジェクトの表示方法の指定を行う属性情報を含む第１６の本発明の記録媒体である。
【０１５３】
また、第２１の本発明は、前記管理情報は、前記外部オブジェクトへの参照情報に加えて,サムネイル情報へのポインタ情報を含む第１６の本発明の記録媒体である。
【０１５４】
また、第２２の本発明は、第１６の本発明の記録媒体に情報を記録する記録装置であって、
ビデオオブジェクト、及び前記ビデオオブジェクトの再生を管理する管理情報、及び前記ビデオオブジェクトとは異なるオブジェクトである外部オブジェクトを記録する第１の記録手段と、
記録機器及び再生機器の機能に対する前記拡張情報を記録する第２の記録手段とを備えた記録装置である。
【０１５５】
また、第２３の本発明は、第１７の本発明の記録媒体に情報を記録する記録装置であって、
ビデオオブジェクト、及び前記ビデオオブジェクトの再生を管理する管理情報、及び前記ビデオオブジェクトとは異なるオブジェクトである外部オブジェクトを記録する第１の記録手段と、
前記ビデオオブジェクトと前記外部オブジェクトとが記録された順番を再現するための情報を前記拡張情報として自動的に生成する拡張情報生成手段と、
記録機器及び再生機器の機能に対する前記拡張情報を記録する第２の記録手段とを備えた記録装置である。
【０１５６】
また、第２４の本発明は、第１６の本発明の記録媒体を再生する再生装置であって、
前記管理情報を読み出す管理情報読み出し手段と、
読み出された前記管理情報に基づいて前記ビデオオブジェクトを読み出すビデオオブジェクト読み出し手段と、
前記拡張情報を読み出す拡張情報読み出し手段と、
前記外部オブジェクトを読み出す外部オブジェクト読み出し手段と、
読み出された前記ビデオオブジェクト管理情報及び読み出された前記拡張情報に基づいて、読み出された前記ビデオオブジェクトと前記外部オブジェクトを再生する再生手段とを備えた再生装置である。
【０１５７】
また、第２５の本発明は、第１６の本発明の記録媒体に情報を記録する記録方法であって、
ビデオオブジェクト、及び前記ビデオオブジェクトの再生を管理する管理情報、及び前記ビデオオブジェクトとは異なるオブジェクトである外部オブジェクトを記録する第１の記録ステップと、
記録機器及び再生機器の機能に対する拡張情報を記録する第２の記録ステップとを備えた記録方法である。
【０１５８】
また、第２６の本発明は、第１７の本発明の記録媒体に情報を記録する記録方法であって、
ビデオオブジェクト、及び前記ビデオオブジェクトの再生を管理する管理情報、及び前記ビデオオブジェクトとは異なるオブジェクトである外部オブジェクトを記録する第１の記録ステップと、
前記ビデオオブジェクトと前記外部オブジェクトとが記録された順番を再現するための情報を前記拡張情報として自動的に生成する拡張情報生成ステップと、
記録機器及び再生機器の機能に対する前記拡張情報を記録する第２の記録ステップとを備えた記録方法である。
【０１５９】
また、第２７の本発明は、第１６の本発明の記録媒体を再生する再生方法であって、
前記管理情報を読み出す管理情報読み出しステップと、
読み出された前記管理情報に基づいて前記ビデオオブジェクトを読み出すビデオオブジェクト読み出しステップと、
前記拡張情報を読み出す拡張情報読み出しステップと、
前記外部オブジェクトを読み出す外部オブジェクト読み出しステップと、
読み出された前記ビデオオブジェクト管理情報及び読み出された前記拡張情報に基づいて、読み出された前記ビデオオブジェクトと前記外部オブジェクトを再生する再生ステップとを備えた再生方法である。
【０１６０】
また、第２８の本発明は、第８の本発明の記録装置の、画像情報、及び前記画像情報に関する付属情報から構成される画像ファイルを複数入力する入力手段と、
記録媒体の第１の領域に、複数の前記画像ファイルを記録し、前記記録媒体の前記第１の領域とは異なった領域である第２の領域に、複数の前記画像ファイルにそれぞれ対応する前記付属情報の全体のコピーまたは一部のコピーを複数記録する記録手段としてコンピュータを機能させるためのプログラムである。
【０１６１】
また、第２９の本発明は、第１１の本発明の再生装置の、一つまたは複数の前記画像情報を再生する場合、前記第１の領域に格納されている一つまたは複数の前記画像ファイルを読み出し、一つまたは複数の前記付加情報を再生する場合、前記第２の領域に格納されている一つまたは複数の前記付加情報のコピーを読み出す読み出し手段と、
読み出された前記画像ファイルまたは前記付加情報を出力する出力手段としてコンピュータを機能させるためのプログラムである。
【０１６２】
また、第３０の本発明は、第２８または２９の本発明のプログラムを担持した記録媒体であって、コンピュータにより処理可能な記録媒体である。
【発明の効果】
【０１６３】
本発明は、記録時の絞りやシャッタースピード等を指定して静止画を検索処理する際の処理速度を速くすることが出来る記録媒体、記録装置、再生装置、記録方法、再生方法、及びプログラムを提供することが出来る。
【０１６４】
また、本発明は、サムネイルのインデックス表示速度を速くすることが出来る記録媒体、記録装置、再生装置、記録方法、再生方法、及びプログラムを提供することが出来る。
【０１６５】
また、本発明は、静止画ファイルのインポート処理速度を速くすることが出来る記録媒体、記録装置、再生装置、記録方法、再生方法、及びプログラムを提供することが出来る。
【０１６６】
また、本発明は、静止画ファイルの表示処理速度を速くすることが出来る記録媒体、記録装置、再生装置、記録方法、再生方法、及びプログラムを提供することが出来る。
【０１６７】
また、本発明は、ＤＶＤ−ＲＡＭディスクに記録されたデータに対する、円滑な動画像データ及び静止画データの連携再生を実現することが出来る記録媒体、記録装置、再生装置、記録方法、及び再生方法を提供することが出来る。
【０１６８】
また、本発明は、動画像データ及び静止画データの連携において、記録を行った機器以外の機器を用いて、動画像データ及び静止画データの連携再生を行った場合でも，ユーザに混乱を与えることなく、ＡＶデータの再生を実現することが出来る記録媒体、記録装置、再生装置、記録方法、及び再生方法を提供することが出来る。
【発明を実施するための最良の形態】
【０１６９】
以下に本発明の実施の形態を図面を参照して説明する。
【０１７０】
（第１の実施の形態）
以下、本発明の第１の実施の形態について図２１〜図２６、図５３、図５４等を用いて説明する。
【０１７１】
図２１は番組管理情報に拡張情報領域を持つ場合のデータ構造図である。この場合，ある番組（番組１）の管理情報として，番組１の一般情報と，番組１のＡＶデータ指定情報と，番組１の拡張情報という形で記録される。この場合の拡張情報として，ＥＰＧから取得した番組詳細情報（ジャンル，出演者，内容説明など），自己録画の場合の録画設定（録画bitrateなどの設定），番組の一場面を表す静止画（サムネイル）の実データ，前記サムネイルを外部ファイルとした場合のファイル名，再生禁止番組としての設定，自動消去番組の候補としての設定，機器が自動で録画したコンテンツであることを示す情報の記録，録画したユーザを示す情報などがある。また，番組一つが消去されるような場合には，番組の管理情報も同時に消去されるため，拡張情報も消去される。
【０１７２】
図２２はＥｎｔｒｙ Ｐｏｉｎｔ管理情報に拡張情報領域を持つ場合のデータ構造図である。
【０１７３】
この場合，Ｅｎｔｒｙ Ｐｏｉｎｔ管理情報として拡張情報の有無を表すＥｎｔｒｙ Ｐｏｉｎｔの種別情報と，番組中の位置特定情報と，拡張情報が記録される。
【０１７４】
拡張情報として，ＰＳＩ／ＳＩの変化点であることを示す情報，データカルーセル開始点を示す情報，ＣＭへのｉｎ点を示す情報，ＣＭからのｏｕｔ点を表す情報，特殊なイベント情報（別の再生位置への飛び出し指定，ＰＣで外部アプリケーションを起動，ＵＲＬが埋め込まれていて，ＨＴＭＬを起動など），関連する外部ファイルへのリンク（ＤＣＦオブジェクト，ＪＰＥＧサムネイルなど）及びその外部ファイルの再生条件（再生時間など）などが挙げられる。
【０１７５】
なお，Ｅｎｔｒｙ Ｐｏｉｎｔ管理情報の位置はＣｅｌｌの管理情報でも，ＡＶデータの管理情報でも良い。ただしこの場合，位置特定情報がそれらの管理情報の中で任意の位置を指定できれば良いものとする。
【０１７６】
なお，Ｅｎｔｒｙ Ｐｏｉｎｔの種別情報がなくても良い。
【０１７７】
なお，Ｅｎｔｒｙ Ｐｏｉｎｔの種別が拡張情報の有無以外を示していても良い。
【０１７８】
図２３はＳｅｃｔｉｏｎ Ｍａｒｋｅｒ管理情報に拡張情報領域を持つ場合のデータ構造である。
【０１７９】
ここで，Ｓｅｃｔｉｏｎ Ｍａｒｋｅｒとは，図２３で表されるように，番組中の任意の区間を，開始位置と終了位置の２点で指定する情報であり，番組管理情報中に記録されるものである。
【０１８０】
この場合，Ｓｅｃｔｉｏｎ Ｍａｒｋｅｒ管理情報には，拡張情報の有無を表すＳｅｃｔｉｏｎ  Ｍａｒｋｅｒの種別情報と，番組中のＳｅｃｔｉｏｎ Ｍａｒｋｅｒ開始位置特定情報と，番組中のＳｅｃｔｉｏｎ Ｍａｒｋｅｒ終了位置特定情報と，拡張情報とが記録され，拡張情報として，ＣＭ区間を示す情報，データ放送有効区間を示す情報，特殊効果領域であることを示す情報，関連する外部ファイルへのリンク（ＤＣＦオブジェクト，ＪＰＥＧサムネイルなど）及びその外部ファイルの再生条件（再生時間など）などが記録可能である。
【０１８１】
なお，Ｓｅｃｔｉｏｎ Ｍａｒｋｅｒ管理情報の位置が番組管理情報ではなく，Ｃｅｌｌの管理情報でも，ＡＶデータの管理情報でも良いものとする。この場合，位置特定情報がそれらの管理情報の中で任意の位置を指定できれば良い。
【０１８２】
なお，Ｓｅｃｔｉｏｎ Ｍａｒｋｅｒの種別情報がなくても良い。
【０１８３】
なお，Ｓｅｃｔｉｏｎ Ｍａｒｋｅｒの種別が拡張情報の有無以外を示していても良い。
【０１８４】
図２４は拡張情報の基本データ構造を示すものである。拡張情報は，拡張情報の数を表すＩＴ＿ＤＡＴＡ＿Ｎｓと，拡張情報のセットを表すＩＴ＿ＤＡＴＡ＿ＳＥＴで構成され，ＩＴ＿ＤＡＴＡ＿ＳＥＴはＩＴ＿ＤＡＴＡ＿Ｎｓで指定された個数のＩＴ＿ＤＡＴＡ＿ＨｅａｄｅｒとＩＴ＿ＤＡＴＡ＿Ｂｏｄｙで構成される。
【０１８５】
ＩＴ＿ＤＡＴＡ＿Ｈｅａｄｅｒには，機器メーカ，拡張情報の種別などの識別のためのＥｘｔｅｎｓｉｏｎ ＩＤ（すべての機器メーカで共通の共通Ｅｘｔｅｎｓｉｏｎ ＩＤを含む）とＩＴ＿ＤＡＴＡ＿Ｂｏｄｙのサイズを示すＩＴ＿ＤＡＴＡ＿Ｂｏｄｙ＿Ｓｉｚｅが記録される。
【０１８６】
ＩＴ＿ＤＡＴＡ＿Ｂｏｄｙは，ＤＡＴＡのタイプ及びサイズを示すＩＴ＿ＴＹ＿ＳＺと拡張情報の本体であるＤＡＴＡの対で構成され，図２４に示されるような情報が記録される。
【０１８７】
例として，番組タイトル，出演者，製作者，放送局，ジャンル，記録日時，記録ソース，その他付加情報，番組内容情報，外部ファイル名，ＵＲＬ（以上は共通Ｅｘｔｅｎｓｉｏｎ ＩＤ，固有Ｅｘｔｅｎｓｉｏｎ ＩＤにおいて共通），機器メーカ独自の拡張情報（固有Ｅｘｔｅｎｓｉｏｎ ＩＤが使用された場合）などがある。これらのタイプはＩＴ＿ＴＹで指定され，それぞれのＤＡＴＡのサイズは，ＩＴ＿ＳＺで指定される。
【０１８８】
なお，先の例に挙げた，放送局，ジャンル，記録日時，記録ソースなどは，ＩＴ＿ＳＺによらず，一定としてもよい。
【０１８９】
図２５は，拡張情報に外部拡張情報へのリンク情報を記録する場合（図２５（ａ））のデータ構造図である。図２５（ｂ）において，外部拡張情報リンク情報には，外部拡張情報ファイルのファイル名を指定する外部拡張情報ファイル名と，ファイル中のオフセットアドレスを示す拡張情報開始アドレスと拡張情報終了アドレスが記録される。
【０１９０】
図２６は拡張情報に外部拡張情報へのリンク情報を記録する場合の別のデータ構造図である。  図２６（ａ）において，外部拡張情報リンク情報には，外部拡張情報ファイルのファイル名を指定する外部拡張情報ファイル名と，ファイル中のオフセットアドレスを示す拡張情報開始アドレスと，拡張情報のサイズを表す拡張情報サイズが記録される。また，図２６（ｂ）において，外部拡張情報リンク情報には，外部拡張情報ファイルのファイル名を指定する外部拡張情報ファイル名と，そのファイル先頭からの拡張情報のｉｎｄｅｘ ｎｕｍｂｅｒを表す拡張情報ｉｎｄｅｘ ｎｕｍｂｅｒが記録される。なお，この場合，一つ分の拡張情報のサイズは固定であってもよいし，外部拡張情報ファイルの先頭に，それぞれのｉｎｄｅｘ ｎｕｍｂｅｒに対応したサーチポインタを持っていてもよいし，外部拡張情報ファイル中のそれぞれの外部拡張情報の先頭部に，自身のサイズを記録しておいて，ｉｎｄｅｘ ｎｕｍｂｅｒに対応する外部拡張情報のアドレスを算出可能にしてもよい。
【０１９１】
ここで，図２５（ｂ），図２６（ａ），図２６（ｂ）で示したいずれの形態でも外部拡張情報の指定が可能であり，どの形態をとってもよいものとする。
【０１９２】
図５３は図２５および図２６で説明した外部拡張情報ファイルの構成例である。この外部拡張情報ファイルは、記録されたＤＣＦ基本ファイルに含まれるＡＰＰ１（アプリケーション・データ・セグメント１）を格納する。ＡＰＰ１は論理セクタの先頭から記録され、ＡＰＰ１終端と論理セクタ終端が一致しない場合には、その間にパディングデータが記録される。パディングデータとしてはどんな値でも良い。このＡＰＰ１には撮影時刻や絞り値等のメタデータが含まれる。また、160画素×120画素のサムネイル画像が必ず含まれる。ＡＰＰ１はＥｘｉｆ付属情報とも呼ばれる。
【０１９３】
図５３に示された外部拡張情報ファイルは第１の実施の形態や、後述する第３、第４または第６の実施の形態に示した図２２のＥｎｔｒｙ Ｐｏｉｎｔまたは図２３のＳｅｃｔｉｏｎ Ｍａｒｋｅｒにより参照される。すなわちこのＥｎｔｒｙ Ｐｏｉｎｔ内の拡張情報またはＳｅｃｔｉｏｎ Ｍａｒｋｅｒ内の拡張情報は、図２５または図２６に示す外部拡張情報リンク情報を含み、外部拡張情報リンク情報は外部拡張情報ファイル名として、図５３に示す外部拡張情報ファイルのファイル名を含む。また、外部拡張情報リンク情報が拡張情報開始アドレスを保持する場合は、ファイル中でのＡＰＰ１先頭までのオフセットアドレスを保持する。また、外部拡張情報リンク情報が拡張情報ｉｎｄｅｘ ｎｕｍｂｅｒを保持する場合はファイル中におけるＡＰＰ１の識別番号を保持する。
【０１９４】
図５４はＤＣＦ基本ファイルの先頭部分のデータを示す。ＤＣＦ基本ファイルの先頭はＳＯＩ(Ｓｔａｒｔ Ｏｆ Ｉｍａｇｅ)、ＡＰＰ１の順で始まる。ＳＯＩはＳＯＩマーカ(０ｘＦＦＤ８)のみから構成される。ＡＰＰ１の内部はＡＰＰ１マーカ(０ｘＦＦＥ１)、ＡＰＰ１のデータサイズ（ただし、ＡＰＰ１マーカのデータサイズを除く）、ＡＰＰ１の中身の順で記録される。ＡＰＰ１のデータ長フィールドの最大値は６５５３５である。
【０１９５】
図５６は、ＤＣＦ基本ファイル３２１の詳細データ構造を示す。ＤＣＦ基本ファイル３２１はＳＯＩ３２２，ＡＰＰ１（３２３），ＪＰＥＧ圧縮されたＤＣＦ基本主画像（３２４）、ＥＯＩ（Ｅｎｄ  Ｏｆ  Ｉｍａｇｅ）３２５から構成される。
【０１９６】
ＡＰＰ１（３２３）は主にＤＣＦ基本主画像に関する付属情報３２６とＤＣＦ基本主画像３２４のサムネイルデータ３２７から構成される。ＤＣＦ基本主画像に関する付属情報３２６は０ｔｈＩＦＤ，ＥｘｉｆＩＦＤ，Ｉｎｔ．ＩＦＤ（ｉｎｔｅｒｏｐｅｒａｂｉｌｉｔｙ  ＩＦＤ）、１ｓｔＩＦＤから構成される。サムネイルデータ３２７はＳＯＩ、ＪＰＥＧ圧縮されたサムネイル画像、ＥＯＩから構成される。０ｔｈＩＦＤには画像の解像度等が含まれる。ＥｘｉｆＩＦＤに絞り値、シャッタースピード値、メーカーノート、コメント等が含まれる。メーカーノートにはメーカーが独自に設定可能なフィールドである。
【０１９７】
各ＩＦＤはタグと呼ばれる共通データ構造から構成される。なお、ＤＣＦ基本ファイル３２１はＥｘｉｆ画像ファイルに限定を加えたサブセットである。
【０１９８】
図５７は、Ｅｘｉｆ規格に準拠したＴＩＦＦファイル３３１の詳細データ構造を示す。ＴＩＦＦファイル３３１はＴＩＦＦヘッダ３３２、Ｅｘｉｆ規格準拠の付属情報３３３、サムネイル画像（非圧縮）３３４、画像データ（非圧縮）３３５から構成される。Ｅｘｉｆ準拠の付属情報３３３は図５６と同様に、０ｔｈＩＦＤ，ＥｘｉｆＩＦＤ，Ｉｎｔ．ＩＦＤ，および１ｓｔＩＦＤから構成される。ＤＣＦ規格ではＴＩＦＦファイル３３１はＤＣＦ拡張画像ファイルとして扱われる。さらに、ＤＣＦ拡張画像ファイルを記録する場合は、ＤＣＦサムネイルファイル３３６の記録が推奨されている。ＤＣＦサムネイルファイル３３６はＳＯＩ３３７，ＡＰＰ１（ただし、記録オプション）３３８、ＪＰＥＧ圧縮されたサムネイル画像３３９、ＥＯＩ３４０から構成される。ＡＰＰ１（３３８）には主にＥｘｉｆ規格準拠の付属情報である、０ｔｈＩＦＤ，ＥｘｉｆＩＦＤ，Ｉｎｔ．ＩＦＤ，および１ｓｔＩＦＤが含まれる。
【０１９９】
図５８は、ＤＶＤ−ＲＡＭディスク３１５上の物理的なデータ配置を示す。内周側の領域３０９に外部拡張情報ファイルを記録し、外周側の領域３１０にＤＣＦ基本ファイル３２１、もしくはＤＣＦ拡張画像ファイル３３１を記録する。内周側の領域３０９はあらかじめ記録機が外部拡張情報ファイルを記録するための記録領域として確保しているものとする。
【０２００】
すなわち、外周側の領域３１０は、ＤＣＦ基本ファイル３２１やＤＣＦ拡張画像ファイル３３１や他の動画像データなどのユーザが使用するデータを記録するユーザ領域である。また、内周側の領域３０９は、外周側の領域３１０に記録されているデータを管理する管理情報を記録する管理領域である。
【０２０１】
図５９に、ＤＣＦ基本ファイル３２１が記録されたＤＶＤ−ＲＡＭディスク３１５を示す。図５９（ａ）では、紙面に向かって左側がＤＶＤ−ＲＡＭディスク３１５の内周側であり、右側がＤＶＤ−ＲＡＭディスク３１５の外周側である。各ＤＣＦ基本ファイル３２１は、その付属情報の部分が内周側の領域３０９に記録されており、付属情報と圧縮データとで構成されるＤＣＦ基本ファイル３２１がＤＶＤ−ＲＡＭディスク３１５の外周側の領域３１０に記録されている。すなわち、ＤＣＦ基本ファイル３２１がＤＶＤーＲＡＭディスク３１５の外周側の領域３１０に記録されるとともに、付属情報のコピーがＤＶＤ−ＲＡＭディスク３１５の内周側の領域３０９に記録されている。なお、図５９（ａ）で圧縮データとは、図５６のＤＣＦ基本主画像３２４及びＥＯＩ（３２５）のことである。また、図５９（ａ）で付属情報とは、図５６のＡＰＰ１（３２３）及びＳＯＩ（３２２）のことである。
【０２０２】
このように、ＤＶＤ−ＲＡＭディスク３１５の内周側の領域３０９には、ＤＣＦ基本ファイル３２１を構成する付属情報がまとめて記録されており、ＤＶＤ−ＲＡＭディスク３１５の外周側の領域３１０には、ＤＣＦ基本ファイル３２１を構成する付属情報と圧縮データとが記録されている。例えば、付属情報（３１１ｂ）と圧縮データ３１１ｃとで構成されるＤＣＦ基本ファイル３２１については、付属情報（３１１ｂ）と圧縮データ３１１ｃとがＤＶＤ−ＲＡＭディスク３１５の外周側の領域３１０に記録されており、付属情報（３１１ｂ）のコピーである付属情報（３１１ａ）がＤＶＤ−ＲＡＭディスク３１５の内周側の領域３０９に記録されている。
【０２０３】
ＤＶＤ−ＲＡＭディスク３１５でサムネール表示を行うためには、ＤＶＤ−ＲＡＭディスク３１５の内周側の領域３０９に格納されている付属情報（３１１ａ）、付属情報（３１２ａ）、付属情報（３１３ａ）を例えばディスクの内周側から外周側に向かって順に読み出すだけでよい。従って、従来の図６２のＤＶＤ−ＲＡＭディスク３０１のような長時間のシーク動作は発生しない。このように、第１の実施の形態によれば、大量のＤＣＦ基本ファイル３２１がＤＶＤ−ＲＡＭディスク３１５に記録されていたとしても高速にサムネール表示をすることが出来るようになる。また、付属情報の部分に格納されている日付情報などを用いて、ＤＣＦ基本ファイル３２１の検索を行う場合、図５９（ａ）に示された矢印のように、サムネール表示の場合と同様に、各付属情報に少ないシーク動作でアクセスすることが出来るので、高速に検索出来るようになる。
【０２０４】
図５９（ｂ）にＤＣＦ基本ファイル３２１の静止画を表示する場合の動作を示す。ＤＣＦ基本ファイル３２１の静止画を表示する場合には、ＤＣＦ基本ファイル３２１を構成する付属情報と圧縮データとの両者にアクセスする必要がある。このような場合には、例えば、ＤＶＤ−ＲＡＭディスク３１５の外周側の領域３１０に記録されている付属情報（３１１ｂ）と圧縮データ３１１ｃとにアクセスする。つまり、ＤＶＤ−ＲＡＭディスク３１５の内周側の領域３０９に格納されている付属情報にはアクセスしない。従って、ディスクの内周側の領域３０９と外周側の領域３１０を交互にアクセスする必要がなくなり、図５９（ｂ）の矢印で示すようにシーク動作がほとんど発生しなくなる。つまり高速にＤＣＦ基本ファイル３２１の静止画データを表示することが出来るようになる。
【０２０５】
なお、上記は、ＤＶＤ−ＲＡＭディスク３１５にＤＣＦ基本ファイルを記録する場合について説明したが、これに限らず、ＤＶＤ−ＲＡＭディスク３１５にＴＩＦＦファイル３３１を記録する場合にも同様のことが言える。ただしＴＩＦＦファイル３３１をＤＶＤ−ＲＡＭディスク３１５に記録する場合には、ＤＶＤ−ＲＡＭディスク３１５の内周側の領域３０９には、Ｅｘｉｆ規格準拠の付属情報３３３、及びＤＣＦサムネイルファイル３３６が記録され、ＤＶＤ−ＲＡＭディスク３１５の外周側の領域３１０には、ＴＩＦＦファイル３３１及びＤＣＦサムネイルファイル３３６が記録されるものとする。
【０２０６】
なお、本実施の形態では、ＤＶＤ−ＲＡＭディスク３１５の内周側の領域３０９に付属情報の全てのコピーが記録されるとして説明したが、これに限らない。付属情報の一部のコピーがＤＶＤ−ＲＡＭディスク３１５の内周側の領域３０９９に記録されるものであっても構わない。具体的には、ＤＶＤ−ＲＡＭ３１５の内周側の領域３０９に付属情報の全てのコピーが記録される場合は、図５６のＡＰＰ１（３２３）及びＳＯＩ（３２２）が全てコピーされ、一部のコピーが記録される場合は、例えば図５６のＳＯＩ（３２２）は記録されずにＡＰＰ１（３２３）全体もしくは抜粋情報が記録される。ＡＰＰ１（３２３）の抜粋情報が記録される場合には、例えば図５４におけるＡＰＰ１マーカを除いた情報、またはＡＰＰ１データ長をも除いた情報が記録される。
【０２０７】
すなわち、ＤＶＤ−ＲＡＭディスク３１５の内周側の領域３０９には、図５４におけるＳＯＩとＡＰＰ１を単位として記録しても構わないし、ＡＰＰ１のみを単位として記録しても構わないし、ＡＰＰ１から先頭２バイト（ＡＰＰ１マーカ）を除いた部分を単位として記録しても構わないし、ＡＰＰ１から先頭４バイト（ＡＰＰ１マーカ及びＡＰＰ１データ長）を除いた部分を単位として記録しても構わない。ただし、先頭４バイトを除いた場合は別途データサイズを記録してもよい。
【０２０８】
要するに、ＤＶＤ−ＲＡＭディスク３１５の内周側の領域３０９には、サムネイル画像のコピーまたは画像情報を検索するための検索情報のコピーが少なくとも記録されさえすればよい。
【０２０９】
なお、本実施の形態のＤＣＦ主画像３２４は本発明の画像情報の例であり、本実施の形態の内周側の領域３０９は本発明の第２の領域の例であり、本実施の形態の外周側の領域３１０は本発明の第１の領域の例である。
【０２１０】
記録機（例えばＤＶＤカムコーダ）で静止画を撮影してＤＣＦ基本ファイルを記録する際に、第１の実施の形態や、後述する第３、第４、または第６の実施の形態で示すようにＥｎｔｒｙ ＰｏｉｎｔまたはＳｅｃｔｉｏｎ Ｍａｒｋｅｒを同時に記録することにより、静止画の記録順序に関する情報を保持する。
【０２１１】
そして、記録された静止画をインデックス表示する場合（例えば記録された９枚分の静止画のサムネイルを一画面に表示する場合）に、サムネイルファイルを事前に読出してメモリ上に置いておき、そのメモリ上のサムネイルデータを使ってインデックス表示を高速に実施する。サムネイルデータはデータ量が１枚当たり8kバイト程度であるから、たくさんのサムネイルをメモリ上に置くことができる。また、静止画の総数が多い場合にサムネイルデータがメモリ上に全て置く事ができない場合であっても、付属情報が記録順に配列されていれば、記録順に外部拡張情報ファイルを順次読み出しながら表示処理すれば、外周側のサムネイルデータを読み出しに行く場合と較べて高速に表示可能である。
【０２１２】
以上の構成により、記録機内でセルフエンコーディングにより生成された静止画像を記録する場合は、ＤＣＦ基本ファイルの記録時に作成するＡＰＰ１をそのまま本第１の実施の形態の外部拡張情報ファイルに記録可能なので、簡易に外部拡張情報ファイルを作成可能になる。
【０２１３】
また一方、記録機（例えばＤＶＤカムコーダ図６０）にデジタルインタフェースを介して接続されたデジタルスチルカメラからＤＣＦ基本ファイルを受信し、ＤＶＤカムコーダ側のＤＶＤ-ＲＡＭディスクに記録する場合おいて、同様にＥｎｔｒｙ ＰｏｉｎｔまたはＳｅｃｔｉｏｎ Ｍａｒｋｅｒを記録することにより、記録した順序を保持できる。
【０２１４】
また、記録機（例えば図６０のＤＶＤカムコーダ３５０）にメモリーカードインタフェース３５４を有している場合、メモリーカードインタフェース３５４を介してＤＶＤ−ＲＡＭディスク３１５へメモリカードへ記録済みのＤＣＦ基本ファイルを格納可能になる。この場合も同様にＥｎｔｒｙ ＰｏｉｎｔまたはＳｅｃｔｉｏｎ Ｍａｒｋｅｒを記録することにより、記録した順序を保持できる。
【０２１５】
この時、記録機（ＤＶＤカムコーダ３５０）の外部拡張情報ファイル生成部３５２は、受信して記録したＤＣＦ基本ファイルの先頭６バイトを読み込み、末尾の２バイトに記録されたＡＰＰ１のデータサイズを検出し、そのデータ部分をさらに読み出し、その結果読み出されたＡＰＰ１の部分全体を外部拡張情報ファイルの内部へコピーする。そして、Ｅｎｔｒｙ ＰｏｉｎｔまたはＳｅｃｔｉｏｎ Ｍａｒｋｅｒの拡張情報内に外部拡張情報リンク情報を記録する。
【０２１６】
以上の構成により、アウトサイドエンコーディングされたＤＣＦ基本ファイルを取り込んで記録する場合にも外部拡張情報ファイル内へサムネイルデータを簡単に追加記録することができる。
【０２１７】
また、ＡＰＰ１内に記録されたサムネイル画像を用いて、画像のインデックス表示を高速に表示処理可能である。
【０２１８】
また、ＡＰＰ１内に記録された記録時刻や絞り値等のメタデータを検索する場合にも外部拡張情報ファイルを使って高速に検索を実施できる。特にＤＶＤ-ＲＡＭ等の光ディスクの場合には、シークが発生しないので外部拡張情報ファイルを用いた効果は大きい。
【０２１９】
また、外部拡張情報ファイルとは別にＤＣＦ基本ファイル全体がＤＶＤ−ＲＡＭディスク３１５の外周側に記録されるので、図６１に示すようにＤＶＤ−ＲＡＭディスク３１５をＤＶＤカムコーダ３５０のＤＶＤ−ＲＡＭドライブに挿入して、パソコン３６１からアクセスする場合であっても、１枚の静止画に高速にアクセスして再生可能である。
【０２２０】
なお、本第１の実施の形態では、メタデータとサムネイルデータの両方を一つの外部拡張情報ファイル内へ格納したが、どちらか一方であっても良い。
【０２２１】
なお、本第１の実施の形態では、アウトサイドレコーディングされたＤＣＦ基本ファイルに含まれるＡＰＰ１をそのまま外部拡張情報ファイル内へ格納するものとしたが、ＡＰＰ１のデータサイズが大きすぎる場合は、一部を抜粋した後で格納しても良い。ただしこの場合であっても、ＡＰＰ１内部のデータ構造はＤＣＦ規格に従うものとする。例えば、ＡＰＰ１のＥｘｉｆＩＦＤ内のメーカーノートフィールド（メーカノートタグ）があらかじめ決めたデータサイズよりも大きい場合はこのフィールドを省略する等の処理が考えられる。
【０２２２】
なお、本第１の実施の形態ではＡＰＰ１をそのまま外部拡張情報ファイル内部へコピーして格納したが、ＡＰＰ１内部のサムネイルデータとメタデータを分離して別々の外部拡張情報ファイルを作成して、Ｅｎｔｒｙ ＰｏｉｎｔまたはＳｅｃｔｉｏｎ Ｍａｒｋｅｒから参照しても良い。ただし、この場合、ＡＰＰ１内部のより詳細なデータ構造の解析が必要となる。特にＡＰＰ１内部からサムネイルデータを抜き出して、コンパクトなメタデータを生成するには、メタデータの数値表現種別（BYTE,ASCII,SHORT,LONG,RATIONAL,UNDEFINED,SLOG,SRATIONALの８種類ある）やポインタ情報の再計算の考慮が必要となり処理が複雑化する。
【０２２３】
また、サムネイルデータとメタデータを分離しながらも、別々の外部拡張情報ファイルにしないで、ひとつのファイルにしても良い。
【０２２４】
なお、本第１の実施の形態では、ＤＣＦ基本ファイルのみを対象として説明したが、他の静止画ファイル（例えばJPEG2000ファイル、ビットマップファイル、フォトＣＤファイル）に関するサムネイルデータおよびメタデータを拡張画像ファイル内に格納しても良い。
【０２２５】
なお、本第１の実施の形態では、ＤＣＦ基本ファイルのみを対象として説明したが、ＤＣＦ拡張画像ファイルを含んでも良い。ＤＣＦ拡張画像ファイルと同時に記録されたＤＣＦサムネイルファイルをサムネイルデータとしてそのまま外部拡張情報ファイルに格納しても良い。ただし、この場合ＤＣＦサムネイルファイルはＤＣＦ規格の規定上、メタデータ（Ｅｘｉｆ規格にしたがった付属情報）を必ずしも含むとは限らない。従って、ＤＣＦ基本ファイルの場合のＡＰＰ１と同等にするためにはメタデータを付加する必要がある。例えばＤＣＦ拡張画像ファイルがExif規格準拠のTIFFファイルであれば、TIFFファイル内にＥｘｉｆ規格準拠のメタデータが格納されるので、このデータのコピーを付加しても良い。
【０２２６】
なお、本第１の実施の形態では、ＤＣＦ基本ファイルのみを対象として説明したが、Ｅｘｉｆ規格に準拠したＴＩＦＦファイルを含んでも良い。この場合、ＴＩＦＦファイル内にＥｘｉｆ規格で規定された付属情報が含まれる。この付属情報のコピーを外部拡張情報ファイルに格納しても良い。ただし、この場合サムネイルデータはＥｘｉｆ規格の規定上、ＴＩＦＦファイル内に必ずしも含まれるとは限らない。また、ＴＩＦＦファイルに含まれるサムネイルデータはＥｘｉｆ規格の規定上、非圧縮であることが決められている。したがって、サムネイルデータに関してはＪＰＥＧ圧縮等したサムネイルデータを外部拡張情報ファイルに格納するのが望ましい。
【０２２７】
なお、本第１の実施の形態では、動画のサムネイルデータと静止画ファイルのサムネイルデータを混在させて、ひとつの外部拡張情報ファイルとしても良い。
【０２２８】
なお、本第１の実施の形態では、動画のメタデータと静止画ファイルのメタデータを混在させて、ひとつの外部拡張情報ファイルとしても良い。
【０２２９】
なお、本第１の実施の形態ではＥｎｔｒｙ ＰｏｉｎｔまたはＳｅｃｔｉｏｎ Ｍａｒｋｅｒから参照された外部拡張情報ファイル内にＡＰＰ１を格納するものとしたが、必ずしもＥｎｔｒｙ ＰｏｉｎｔまたはＳｅｃｔｉｏｎ Ｍａｒｋｅｒから参照されるファイルで無くても、他のデータから参照されても良い。
【０２３０】
なお、本第１の実施の形態では外部拡張情報ファイル内にＡＰＰ１を格納するものとしたが、ＡＰＰ１マーカおよびＡＰＰ１データ長を含む必要は無い。
【０２３１】
（第２の実施の形態）
次に第２の実施の形態について説明する。
【０２３２】
本実施の形態でも、第１の実施の形態で説明した図２１〜図２６については、第１の実施の形態と同様であるとする。
【０２３３】
図２７は拡張情報ＩＤ（Ｅｘｔｅｎｓｉｏｎ ＩＤ）のデータ構造図である。
図２７（ａ）において，拡張情報ＩＤは，外部拡張を表す文字列を持つものであり，文字列終了コードの手前までを有効データとする。また，図２７（ｂ）において，拡張情報ＩＤは，外部拡張を表す文字列を指定するものであり，指定されたＩＤと，外部拡張を表す文字列との変換テーブルを別に持っておき，その変換テーブルを参照することにより，拡張情報を表すことができる。
【０２３４】
ここで，図２７（ａ），図２７（ｂ）で示したいずれの形態でも外部拡張の指定が可能であり，どちらの形態をとってもよいものとする。
【０２３５】
図２８及び図２９は拡張情報セット（ＩＴ＿ＤＡＴＡ＿ＳＥＴ）の記述についてのデータ構造図である。図２４において説明した構造の，詳細及び別の形態での例を示すものである。図２８（ａ），図２８（ｂ），図２９（ａ），図２９（ｂ），に記述したデータ構造のうち，どれを用いてもよいものとする。
【０２３６】
図３０は拡張情報において，拡張情報ｓｕｂ＿ＩＤと，拡張情報著作権情報を示すものであり，拡張情報ｓｕｂ＿ＩＤは，図３０（ａ）のように拡張情報のｔｙｐｅ識別情報を示すものである。また，図３０（ａ）中の拡張情報著作権情報は，図３０（ｂ）のように，著作権保護のために用いる情報を記録するものである。
【０２３７】
図３１は番組管理情報の拡張情報領域にサムネイルへのポインタを持つ場合のデータ構造図である。この場合，拡張情報のＩＴ＿ＴＹとして外部ファイル名を表す“ＦＩＬＥ ＮＡＭＥ”が選ばれ，ＤＡＴＡとして，例えば番組１の一場面の静止画ファイル名である，“ＭＥＩ／ｓ０００１．ＪＰＧ”が記録される。なお，ここでファイル構造として，ＶＩＤＥＯ＿ＲＴディレクトリ内に，各機器メーカ用のディレクトリを作成してもよい（図３１）。これにより機器メーカ間のファイル名重複による不都合を解消することが可能となる。
【０２３８】
図３２はＥｎｔｒｙ Ｐｏｉｎｔ拡張情報領域にサムネイルデータへのポインタを持たせる場合のデータ構造図である。図３２のようにそれぞれのＥｎｔｒｙ  Ｐｏｉｎｔにおける画像を静止画化した外部ファイル名を拡張情報として持たせておくことにより，図３２のような番組選択メニュー画面を作成することができる。なお，ここでファイル構造として，ＶＩＤＥＯ＿ＲＴディレクトリ内に，各機器メーカ用のディレクトリを作成してもよい（図３２）。これにより機器メーカ間のファイル名重複による不都合を解消することが可能となる。
【０２３９】
図３３はＳｅｃｔｉｏｎ Ｍａｒｋｅｒの管理情報に静止画表示区間であることを記録した場合のデータ構造図である（このように静止画表示区間を指定するＳｅｃｔｉｏｎ Ｍａｒｋｅｒを，以下Ｓｔｉｌｌ Ｓｅｃｔｉｏｎ Ｍａｒｋｅｒと記述する）。一方，図３４は，図３３の番組を再生した場合の表示の様子を示す図である。
【０２４０】
図３３のように，番組の管理情報中に，Ｓｔｉｌｌ Ｓｅｃｔｉｏｎ Ｍａｒｋｅｒを設け，そこに静止画表示に必要な拡張情報として，再生の対象となる静止画ファイルの名前やその静止画ファイルの再生時間等を記録することにより，ＭＰＥＧストリーム中に静止画データが含まれていない場合でも，図３４のように，機器側などにおいて指定された開始時間から，指定された再生時間の間，高精細な静止画の表示を行えるようになる。
【０２４１】
また，静止画の記録時に記録機器が自動的にＳｔｉｌｌ Ｓｅｃｔｉｏｎ Ｍａｒｋｅｒを記録することにより，ユーザが撮影した順番情報を保存することが可能となり，再生時においては，動画及び静止画をそれぞれ再生するのみならず，それらの記録した順番をも再現する可能となる。
【０２４２】
ここで，Ｓｔｉｌｌ Ｓｅｃｔｉｏｎ Ｍａｒｋｅｒの拡張情報には，静止画のファイル名を記録する，としたが，静止画ファイルが格納されているディレクトリ名，例えばＤＣＦディレクトリ名でもよい。この場合，指定されたディレクトリ下の静止画ファイルが順番に再生される。この場合の静止画ファイルの再生時間は，各静止画ファイルの再生時間情報や，ディレクトリ下の全ファイルの合計再生時間情報をＳｔｉｌｌ Ｓｅｃｔｉｏｎ Ｍａｒｋｅｒの拡張情報に格納してもよい。
【０２４３】
また，Ｓｔｉｌｌ Ｓｅｃｔｉｏｎ Ｍａｒｋｅｒの拡張情報には，静止画ファイルの名前リストが格納された，外部拡張情報ファイルへの参照情報が記録されていてもよい。すなわち，図２５や図２６で示される外部拡張情報ファイルの外部拡張情報中に，表示される静止画ファイル名やディレクトリ名のリストを格納してもよい。この場合，静止画ファイルの再生時間に関する情報も外部拡張情報ファイルを格納してもよい。
【０２４４】
Ｓｔｉｌｌ Ｓｅｃｔｉｏｎ Ｍａｒｋｅｒの拡張情報に格納する情報については，以降の実施の形態でも同様である。
【０２４５】
図３５はＳｔｉｌｌ Ｓｅｃｔｉｏｎ Ｍａｒｋｅｒの別の表記例を説明する図である。
【０２４６】
図３５(a)では，Ｓｔｉｌｌ Ｓｅｃｔｉｏｎ Ｍａｒｋｅｒの表示位置を特定するために，SMの番組中の開始位置特定情報とSMの番組中の終了位置特定情報を記録しており，図３５(b)はその番組の表示の様子を示す。
【０２４７】
Ｓｔｉｌｌ Ｓｅｃｔｉｏｎ Ｍａｒｋｅｒの表示位置の特定のための記述は，図３３と図３５のどちらの方法を用いても良い。
【０２４８】
図３３のＳｔｉｌｌ Ｓｅｃｔｉｏｎ Ｍａｒｋｅｒの付加方法について図３６のフローチャートを用いて説明する。
【０２４９】
図３６において，まず，記録動作が開始されてから，記録が終了するまでステップ５０１からステップ５０５までのループ１が行われる。ループ１において，記録機器で記録用オブジェクトの生成が行われ（ステップ５０２），記録用オブジェクトの記録が行われる（ステップ５０３）。続いてステップ５０２で生成されたオブジェクトに対するオブジェクト情報及びタイムマップ情報が生成される（ステップ５０４）。ループ１が終了後，ステップ５０４で生成されたオブジェクト情報及びタイムマップ情報が記録され（ステップ５０６），続いて再生経路情報の生成及び記録が行われる（ステップ５０７）。最後に，記録を行った区域内に対してＳｅｃｔｉｏｎ Ｍａｒｋｅｒ情報の生成，記録が行われ（ステップ５０８），記録動作が終了される。
【０２５０】
もし，ステップ５０１からステップ５０５までのループ１動作中にユーザの指示等により静止画の記録が行われた場合，ステップ５０８ではＳｔｉｌｌ Ｓｅｃｔｉｏｎ Ｍａｒｋｅｒが生成，記録される。Ｓｔｉｌｌ Ｓｅｃｔｉｏｎ Ｍａｒｋｅｒは，動画及び静止画が記録した順番に番組が再現されるように生成される。
【０２５１】
なお,ユーザやシステムが意図する場合,後の再生時に再現したい別の順番付で生成されてもよい。
【０２５２】
なお，記録動作中以外でも，任意のタイミングにおいてＳｅｃｔｉｏｎ Ｍａｒｋｅｒ情報の生成及び記録を行ってもよい。
【０２５３】
なお，記録動作中にＳｅｃｔｉｏｎ Ｍａｒｋｅｒ情報の記録を行わなくてもよい。
【０２５４】
図３３のＳｔｉｌｌ Ｓｅｃｔｉｏｎ Ｍａｒｋｅｒが付加された番組の再生方法について図３７のフローチャートを用いて説明する。図３７において，ディスク上に記録されている再生経路情報の読み込みが行われる（ステップ６０１）。次にステップ６０１で読み込んだ再生経路情報を基に，再生対象のデータの選択が行われ（ステップ６０２），ステップ６０２で決定された対象データのタイムマップ情報の読み込み（ステップ６０３）及びＳｅｃｔｉｏｎ Ｍａｒｋｅｒ情報の読み込みが行われる（ステップ６０４）。ここから再生対象のデータが存在する間，ステップ６０５からステップ６０９のループ１が実行されるものとする。ループ１において，まず再生対象のオブジェクトが読み込まれる（ステップ６０６）。次に，再生されるべきオブジェクトが，Ｓｅｃｔｉｏｎ Ｍａｒｋｅｒ情報により指定された区域であるかどうかを判断し（ステップ６０７），そうであれば，再生機器が対応するＳｅｃｔｉｏｎ Ｍａｒｋｅｒ ＩＤであるかどうかを判断する（ステップ６１０）。再生機器が対応するＳｅｃｔｉｏｎ Ｍａｒｋｅｒ ＩＤである場合は，さらにＳｅｃｔｉｏｎ ＭａｒｋｅｒがＳｔｉｌｌ Ｓｅｃｔｉｏｎ Ｍａｒｋｅｒかどうかの判別が行われる（ステップ６１１）。Ｓｔｉｌｌ Ｓｅｃｔｉｏｎ Ｍａｒｋｅｒである場合は，対応する静止画の読みと込み再生が行われる（ステップ６１２）。Ｓｔｉｌｌ Ｓｅｃｔｉｏｎ Ｍａｒｋｅｒでない場合は，拡張情報が実行されて（ステップ６１３），再生を行う（ステップ６０８）。ステップ６１０で再生機器が対応するＳｅｃｔｉｏｎ Ｍａｒｋｅｒ ＩＤでない場合は，単に再生を行うのみとする（ステップ６０８）。再生対象の全てのデータの再生が終了すればループ１を終了し，再生動作が終了される。
【０２５５】
図３８は，Ｓｔｉｌｌ Ｓｅｃｔｉｏｎ Ｍａｒｋｅｒを用いて静止画のみの番組を記録する方法の説明図である。
【０２５６】
この例では，番組中に実質的な再生映像データが含まれない本編を設け，本編の再生時間を０に設定することにより,静止画のみの番組を構成している。
【０２５７】
なお,本編の再生をスキップするようなＥｎｔｒｙ ＰｏｉｎｔやＳｅｃｔｉｏｎ Ｍａｒｋｅｒを設けて本編の再生を回避することにより，静止画のみの番組を構成してもよい。
【０２５８】
上記の方法を用いることで，番組の構成に本編の設定が必須であるような場合でも，静止画のみの番組を構成することが可能である。
【０２５９】
図３９は，図３３のＳｔｉｌｌ Ｓｅｃｔｉｏｎ Ｍａｒｋｅｒが付加された番組に対する，ユーザ定義番組を記録する方法の説明図である。
【０２６０】
この例のように，番組１のＳｔｉｌｌ Ｓｅｃｔｉｏｎ Ｍａｒｋｅｒの中から情報を取り出し，新たなＳｔｉｌｌ Ｓｅｃｔｉｏｎ Ｍａｒｋｅｒを設定する方法をとることにより，ユーザ定義番組が，番組内の静止画の表示時間の途中から再生を開始したり，途中で再生を終了したりするような構成をとることも可能である。
【０２６１】
（第３の実施の形態）
以下、本発明の第３の実施の形態について図３９〜図４４を用いて説明する。
【０２６２】
第２の実施の形態では,Ｓｔｉｌｌ Ｓｅｃｔｉｏｎ Ｍａｒｋｅｒで静止画表示区間の指定を行うと，図４０に示すように，静止画対応の再生機と静止画非対応の再生機で，番組の表示時間に差が生じる場合がある。次に述べる実施の形態では,静止画非対応の再生機でも同じ表示時間となる。
【０２６３】
図４１は，静止画の記録時にＳｔｉｌｌ Ｓｅｃｔｉｏｎ Ｍａｒｋｅｒを設けると共に，静止画表示期間に相当する本編内に静止画と同じ画像をＭＰＥＧエンコードしたデータを記録する方法の説明図である。
【０２６４】
図４２は，図４１のＳｔｉｌｌ Ｓｅｃｔｉｏｎ Ｍａｒｋｅｒが付加された番組が， 図３７のフローチャートに従い処理された場合の表示を説明するための図である。
【０２６５】
図４２（a）は，Ｓｔｉｌｌ Ｓｅｃｔｉｏｎ Ｍａｒｋｅｒが付加された番組が 静止画表示に対応している再生機で再生された場合の表示で，図４２（b）は，Ｓｔｉｌｌ Ｓｅｃｔｉｏｎ Ｍａｒｋｅｒが付加された番組が 静止画表示に非対応の再生機で再生された場合の表示である。
【０２６６】
図４２（a）では，Ｓｔｉｌｌ Ｓｅｃｔｉｏｎ Ｍａｒｋｅｒの指定期間，Ｓｔｉｌｌ Ｓｅｃｔｉｏｎ Ｍａｒｋｅｒで指定された静止画ファイルの表示が行われているのに対し，図４２（b）では，再生機でＳｔｉｌｌ Ｓｅｃｔｉｏｎ Ｍａｒｋｅｒが無視され，再生オブジェクトがそのままコードされる。その結果として,ＭＰＥＧエンコードされた静止画像が表示される。
【０２６７】
このようにＳｔｉｌｌ Ｓｅｃｔｉｏｎ Ｍａｒｋｅｒで静止画表示区間の指定を行うと共に，本編内に静止画と同じ画像をＭＰＥＧエンコードしたデータを記録することにより，静止画対応の再生機と静止画非対応の再生機で，番組の表示時間を同じにすることが可能となり，再生環境が異なる場合でも，ユーザに対して混乱を与えることが無い。
【０２６８】
図４３は,Ｓｔｉｌｌ Ｓｅｃｔｉｏｎ Ｍａｒｋｅｒを用いて静止画のみの番組を記録した場合の説明図である。この例でも,図４１の場合と同様に，静止画の記録時にＳｔｉｌｌ Ｓｅｃｔｉｏｎ Ｍａｒｋｅｒを設けると共に，静止画表示期間に相当する本編内に静止画と同じ画像をＭＰＥＧエンコードしたデータを記録する方法により静止画のみの番組を構成している。
【０２６９】
上記の方法を用いることで，静止画対応の再生機と静止画非対応の再生機で，番組の表示時間を同じにすることが可能であり，かつ，番組の構成に本編の設定が必須であるような場合でも，特別なダミーデータを用意することなく静止画のみの番組を構成することが可能である。
【０２７０】
また，静止画非対応の再生機でも,再生画質が劣ることを除けば，静止画のみの番組を再生できるので，再生環境が異なる場合でも，ユーザに対して混乱を与えることが無い。
【０２７１】
なお,本編内に静止画と同じ画像をＭＰＥＧエンコードする際に,他の本編部分よりも高解像度でエンコードしてもよい。例えば，本編がスタンダードディフィニション（SD）の場合,静止画区間に関してはハイディフィニション（HD）でエンコードしてもよい。HDでエンコードすることにより，静止画非対応の再生機でより高精細な映像を表示することが可能になる。
【０２７２】
図４４は,図４１のＳｔｉｌｌ Ｓｅｃｔｉｏｎ Ｍａｒｋｅｒが付加された番組に対する，ユーザ定義番組を記録する方法の説明図である。
【０２７３】
この例のように，番組１の本編をそれぞれ参照すると共に，番組１のＳｔｉｌｌ Ｓｅｃｔｉｏｎ Ｍａｒｋｅｒの中から情報を取り出し，新たなＳｔｉｌｌ Ｓｅｃｔｉｏｎ Ｍａｒｋｅｒを設定する方法をとることにより，ユーザ定義番組が，番組内の静止画の表示時間の途中から再生を開始したり，途中で再生を終了したりするような構成をとることも可能である。
【０２７４】
上記の方法をとることにより，このユーザ定義番組１についても，静止画対応の再生機と静止画非対応の再生機で，番組の表示時間を同じにすることが可能である。
【０２７５】
（第４の実施の形態）
以下、本発明の第４の実施の形態について図４５〜図４８を用いて説明する。
【０２７６】
図４５は，静止画の記録時にＳｔｉｌｌ Ｓｅｃｔｉｏｎ Ｍａｒｋｅｒを設けると共に，静止画表示期間に相当する区間については,番組の管理情報に特殊データを参照するための情報を記録する方法の説明図である。図４５において特殊データは，Ｓｔｉｌｌ Ｓｅｃｔｉｏｎ Ｍａｒｋｅｒで指定されるduration時間より十分長い再生時間を持つデータであるものとする。また，番組の管理情報によって参照される特殊データは，すべて同じデータでも良いし，それぞれ違うデータを参照しても良い。同じデータを共有することにより，ディスク上に記録するデータ量を減らすことができる。
【０２７７】
また，特殊データは，番組データが格納されるファイルとは別のファイルに格納されてもよい。
【０２７８】
図４６は，図４５のＳｔｉｌｌ Ｓｅｃｔｉｏｎ Ｍａｒｋｅｒが付加された番組が，図３７のフローチャートに従い処理された場合の表示を説明するための図である。
【０２７９】
図４６（a）は，Ｓｔｉｌｌ Ｓｅｃｔｉｏｎ Ｍａｒｋｅｒが付加された番組が 静止画表示に対応している再生機で再生された場合の表示で，図４６（b）は，Ｓｔｉｌｌ Ｓｅｃｔｉｏｎ Ｍａｒｋｅｒが付加された番組が 静止画表示に非対応の再生機で再生された場合の表示である。図４６（a）では，Ｓｔｉｌｌ Ｓｅｃｔｉｏｎ Ｍａｒｋｅｒの指定期間，Ｓｔｉｌｌ  Ｓｅｃｔｉｏｎ Ｍａｒｋｅｒで指定された静止画ファイルの表示が行われているのに対し，図４６（b）では，Ｓｔｉｌｌ Ｓｅｃｔｉｏｎ Ｍａｒｋｅｒで指示する静止画表示期間の間，特殊データの復号内容を表示している。
【０２８０】
このようにＳｔｉｌｌ Ｓｅｃｔｉｏｎ Ｍａｒｋｅｒで静止画表示区間の指定を行うと共に特殊データを記録することによって，静止画対応の再生機と静止画非対応の再生機で，番組の表示時間を同じにすることが可能である。
【０２８１】
ここで，特殊データは,この区間に静止画データが対応付けられていることを表示するようなエラーメッセージや,ブルーバックをＭＰＥＧエンコードしたデータでも良い。
【０２８２】
図４７は，Ｓｔｉｌｌ Ｓｅｃｔｉｏｎ Ｍａｒｋｅｒを用いて静止画のみの番組を記録した場合の説明図である。この例でも，図４５の場合と同様に，静止画の記録時にＳｔｉｌｌ Ｓｅｃｔｉｏｎ Ｍａｒｋｅｒを設けると共に，静止画表示期間に相当する本編内に特殊データを記録する方法により静止画のみの番組を構成している。
【０２８３】
上記の方法を用いることで，静止画対応の再生機と静止画非対応の再生機で，番組の表示時間を同じにすることが可能である。
【０２８４】
図４８は，図４５のＳｔｉｌｌ Ｓｅｃｔｉｏｎ Ｍａｒｋｅｒが付加された番組に対する，ユーザ定義番組を記録する方法の説明図である。この例のように，番組１の本編をそれぞれ参照すると共に，番組１のＳｔｉｌｌ Ｓｅｃｔｉｏｎ Ｍａｒｋｅｒの中から情報を取り出し，新たなＳｔｉｌｌ Ｓｅｃｔｉｏｎ Ｍａｒｋｅｒを設定する方法をとることにより，ユーザ定義番組が，番組内の静止画の表示時間の途中から再生を開始したり，途中で再生を終了したりするような構成をとることも可能である。
【０２８５】
上記の方法をとることにより，このユーザ定義番組１についても，静止画対応の再生機と静止画非対応の再生機で，番組の表示時間を同じにすることが可能である。
【０２８６】
（第５の実施の形態）
以下、本発明の第５の実施の形態について図４９〜図５０を用いて説明する。
【０２８７】
図４９は拡張情報中に、静止画ファイル名のほかに、オーバーレイ属性情報を記述したＳｔｉｌｌ Ｓｅｃｔｉｏｎ Ｍａｒｋｅｒの説明図である。
【０２８８】
この場合,図４９のオーバーレイ属性情報としては，オーバーレイ指示の有無や，オーバーレイ指示等を持たせる。そして，オーバーレイ対応の再生機ではＳｔｉｌｌ Ｓｅｃｔｉｏｎ Ｍａｒｋｅｒが設定された静止画表示区間に，指示されたオーバーレイ方法を実施しながら静止画外部ファイルを表示することが可能となる。
【０２８９】
図５０は図４９のデータ再生時の表示を説明するための図である。図５０(a)は図４９のようにオーバーレイ属性情報を持つＳｅｃｔｉｏｎ Ｍａｒｋｅｒが付加されたデータをオーバーレイ対応の機器で再生したときの表示で，図５０(b)は図４９でＳｅｃｔｉｏｎ Ｍａｒｋｅｒが付加されなかった場合のデータを再生したときの表示である。図５０(a)では，図５０(b)で本編２が表示されている部分で，オーバーレイ属性情報中のオーバーレイ指示内容を実施しながら静止画が表示されいる。
【０２９０】
このときのオーバーレイの指示の内容としては，本編の音声を再生する／しないの指定，静止画の配置情報（センタリング，上寄せ，等）の指定，静止画のスケーリング情報（80%に縮小など）の指定，静止画を縮小やセンタリングしたときに残りの領域に本編の映像を表示する／しないの指定，遷移効果の指定等がある。
【０２９１】
なお，この例では，本編に対してＳｅｃｔｉｏｎ Ｍａｒｋｅｒを設定しているが，図４１や図４５の本編１'/２'に相当する期間（静止画をＭＰＥＧエンコードして記録した期間や，特殊データの記録期間）に設定してもよい。
【０２９２】
また，この場合,図４１や図４５の本編１’/２’に相当する期間の種別（静止画，特殊データ，等）を示す情報を付加してもよい。
【０２９３】
（第６の実施の形態）
以下、本発明の第６の実施の形態について、図５１、図５２を用いて説明する。
【０２９４】
図５１はＳｅｃｔｉｏｎ Ｍａｒｋｅｒの別の構造図であり，図２３とは異なり,Ｓｅｃｔｉｏｎ Ｍａｒｋｅｒに対応するサムネイルデータへのポインタを共通のデータ構造として持つ。
【０２９５】
この場合,図５１のサムネイルデータへのポインタ情報としては，図３１や図３２で説明したのと同様に，静止画である外部ファイル名を持たせる。そして，静止画非対応の再生機でＳｔｉｌｌ Ｓｅｃｔｉｏｎ Ｍａｒｋｅｒが設定された静止画表示区間においては，静止画ファイルの変わりにサムネイルデータとして参照される静止画外部ファイルを表示することが可能となる。
【０２９６】
この時，静止画外部ファイルのデータフォーマットを図３１や図３２で示す他の番組情報やＥｎｔｒｙ Ｐｏｉｎｔのサムネイルデータと共通のデータ構造としておけば,サムネイルの記録や再生のためのシステムを共有でき，効率的なシステムが構成できる。
【０２９７】
なお，サムネイルデータへのポインタ情報としては，図２５や図２６で説明した外部拡張情報ファイルとしてもよく，この場合，各サムネイルデータは，外部拡張情報ファイル内の各外部拡張情報として格納される。
【０２９８】
また，Ｓｅｃｔｉｏｎ Ｍａｒｋｅｒと同様に，Ｅｎｔｒｙ Ｐｏｉｎｔに対応するサムネイルデータへのポインタを共通のデータ構造として持つようにしてもよい。この時のデータ構造を図５２に示す。これにより，Ｅｎｔｒｙ Ｐｏｉｎｔを用いて静止画再生区間を管理するようにした場合に,静止画非対応の再生機で静止画表示区間において，静止画ファイルの変わりにサムネイルデータを表示することが可能となる。
【０２９９】
なお，実施の形態中の拡張情報の形式については，図２４，図２８及び図２９等を用いて説明したものに限られるものではなく，Ｅｎｔｒｙ ＰｏｉｎｔやＳｅｃｔｉｏｎ Ｍａｒｋｅｒの種別情報に対応して，あらかじめ定められたデータ構造を持つようにしてもよい。
【０３００】
なお、これまでの実施の形態においては，Ｓｅｃｔｉｏｎ Ｍａｒｋｅｒを用いて静止画再生区間を示す例について説明したが,図２２で説明したＥｎｔｒｙ Ｐｏｉｎｔを用いて同様の静止画再生区間を管理するようにしてもよい。
【０３０１】
この場合の実施の形態を図５５を用いて説明する。図５５に示すように，Ｅｎｔｒｙ Ｐｏｉｎｔの種別情報でそのＥｎｔｒｙ Ｐｏｉｎｔが静止画管理区間に対応することを示し，番組中の位置特定情報で静止画再生区間の開始位置を示し，拡張情報内に，静止画ファイルへの参照情報とその静止画ファイルの再生時間を格納する。
【０３０２】
既に述べた実施の形態同様，静止画表示期間に相当する本編内に静止画と同じ画像をＭＰＥＧエンコードしたデータを記録したり，番組の管理情報に特殊データを参照するための情報を記録したり，あるいは特に何も記録しなくてもよい。
【０３０３】
なお，ここまでの実施の形態では，番組中の同位置に一つのＳｅｃｔｉｏｎ Ｍａｋｅｒを配置した例のみ示したが，拡張情報として，複数のＳｅｃｔｉｏｎ
Ｍａｒｋｅｒが番組の同位置に設定された場合の処理条件を記述することも可能である。この場合の例としては，番組の同位置にＳＭ１とＳＭ２の２つのＳｅｃｔｉｏｎ Ｍａｒｋｅｒが設定されていた場合，ＳＭ１の拡張情報にＳＭ１の指示を実施したら他のＳｅｃｔｉｏｎ Ｍａｒｋｅｒを参照しないと記述する等がある。
【０３０４】
また、その上記では、全てのＳｅｃｔｉｏｎ Ｍａｒｋｅｒを無視するとしたが、実施すべきＳｅｃｔｉｏｎ Ｍａｒｋｅｒと無視すべきＳｅｃｔｉｏｎ ＭａｒｋｅｒのＩＤを別々に記述する構成をとることも可能である。
【０３０５】
なお，ここまでの実施の形態では情報記録媒体としてＤＶＤ−ＲＡＭを挙げて説明を行ったが，ＤＶＤ−ＲＡＭではなく，その他の光ディスク，ハードディスクドライブ，その他の磁気記録媒体，半導体メモリなどを用いてもよい。
【０３０６】
本実施の形態によれば、動画及び静止画が混在した番組を実現することができる。
【０３０７】
本実施の形態によれば、静止画のみから構成される番組を実現することができる。
【０３０８】
本実施の形態によれば、静止画（Ｓｔｉｌｌ Ｓｅｃｔｉｏｎ Ｍａｒｋｅｒ）に非対応の機器でその番組を再生した場合でも，再生画質が劣ることを除けば同様の静止画を再生することが実現できる。
【０３０９】
本実施の形態によれば、再生機の静止画への対応／非対応にかかわらず，その番組に対する再生時間を同じにすることができる。また，この区間に静止画データが対応付けられていることを表示するようなエラーメッセージをＭＰＥＧエンコードしたデータが記録されていた場合は，静止画に非対応の再生機で番組を再生したユーザにも，その区間は静止画が再生されるべき区間であることを通知することができる。
【０３１０】
本実施の形態によれば、番組の本編に静止画をオーバーレイすることが実現できる。
本発明により、記録された静止画ファイルに対するサムネイル画像を集めたファイルを容易に作成可能になる。
【０３１１】
尚、本発明のプログラムは、上述した本発明の記録装置の全部又は一部の手段（又は、装置、素子等）の機能をコンピュータにより実行させるためのプログラムであって、コンピュータと協働して動作するプログラムである。
【０３１２】
又、本発明のプログラムは、上述した本発明の再生装置の全部又は一部の手段（又は、装置、素子等）の機能をコンピュータにより実行させるためのプログラムであって、コンピュータと協働して動作するプログラムである。
【０３１３】
又、本発明の記録媒体は、上述した本発明の記録装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０３１４】
又、本発明の記録媒体は、上述した本発明の再生装置の全部又は一部の手段（又は、装置、素子等）の全部又は一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【０３１５】
尚、本発明の上記「一部の手段（又は、装置、素子等）」とは、それらの複数の手段の内の、一つ又は幾つかの手段を意味し、本発明の上記「一部のステップ（又は、工程、動作、作用等）」とは、それらの複数のステップの内の、一つ又は幾つかのステップを意味する。
【０３１６】
又、本発明の上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。
【０３１７】
又、本発明のプログラムの一利用形態は、コンピュータにより読み取り可能な記録媒体に記録され、コンピュータと協働して動作する態様であっても良い。
【０３１８】
又、本発明のプログラムの一利用形態は、伝送媒体中を伝送し、コンピュータにより読みとられ、コンピュータと協働して動作する態様であっても良い。
【０３１９】
又、本発明のデータ構造としては、データベース、データフォーマット、データテーブル、データリスト、データの種類などを含む。
【０３２０】
又、記録媒体としては、ＲＯＭ等が含まれ、伝送媒体としては、インターネット等の伝送媒体、光・電波・音波等が含まれる。
【０３２１】
又、上述した本発明のコンピュータは、ＣＰＵ等の純然たるハードウェアに限らず、ファームウェアや、ＯＳ、更に周辺機器を含むものであっても良い。
尚、以上説明した様に、本発明の構成は、ソフトウェア的に実現しても良いし、ハードウェア的に実現しても良い。
【産業上の利用可能性】
【０３２２】
本発明は、記録時の絞りやシャッタースピード等を指定して静止画を検索処理する際の処理速度を速くすることが出来る記録媒体、記録装置、再生装置、記録方法、再生方法、及びプログラムを提供することが出来る。
【０３２３】
また、本発明は、サムネイルのインデックス表示速度を速くすることが出来る記録媒体、記録装置、再生装置、記録方法、再生方法、及びプログラムを提供することが出来る。
【０３２４】
また、本発明は、静止画ファイルのインポート処理速度を速くすることが出来る記録媒体、記録装置、再生装置、記録方法、再生方法、及びプログラムを提供することが出来る。
【０３２５】
また、本発明は、静止画ファイルの表示処理速度を速くすることが出来る記録媒体、記録装置、再生装置、記録方法、再生方法、及びプログラムを提供することが出来る。
【０３２６】
また、本発明は、ＤＶＤ−ＲＡＭディスクに記録されたデータに対する、円滑な動画像データ及び静止画データの連携再生を実現することが出来る記録媒体、記録装置、再生装置、記録方法、及び再生方法を提供することが出来る。
【０３２７】
また、本発明は、動画像データ及び静止画データの連携において、記録を行った機器以外の機器を用いて、動画像データ及び静止画データの連携再生を行った場合でも，ユーザに混乱を与えることなく、ＡＶデータの再生を実現することが出来る記録媒体、記録装置、再生装置、記録方法、及び再生方法を提供することが出来る。
【図面の簡単な説明】
【０３２８】
【図１】ＤＶＤレコーダ装置の外観と関連機器とのインタフェースの一例を説明する図
【図２】ＤＶＤレコーダのドライブ装置のブロック図
【図３】ディスク上の連続領域及びトラックバッファ内データ蓄積量を説明する図
【図４】半導体メモリカードとハードディスクドライブ装置を備える場合のＤＶＤレコーダのブロック図
【図５】ディスクの外観と物理構造を説明する図
【図６】ディスクの論理的なデータ空間を説明する図
【図７】ディスクのディレクトリとファイル構造を説明する図
【図８】ビデオオブジェクトの構成を示す図
【図９】ＭＰＥＧシステムストリームを説明する図
【図１０】ＭＰＥＧ−ＴＳストリームを説明する図
【図１１】ＭＰＥＧ−ＰＳストリームを説明する図
【図１２】ＴＳパケットを説明する図
【図１３】ＰＡＴテーブルを説明する図
【図１４】ビデオオブジェクトのディスク上への配置を説明する図
【図１５】ビデオ管理情報のデータ構造を説明する図
【図１６】ビデオ管理情報のデータ構造を説明する図
【図１７】ビデオ管理情報のＰＧＣ情報とオブジェクト情報とオブジェクトとの関係を説明する図
【図１８】再生装置の機能の構成を示すブロック図
【図１９】記録装置の機能の構成を示すブロック図
【図２０】静止画データのディレクトリとファイルの構造の説明図
【図２１】番組管理情報のデータ構造を説明する図
【図２２】Ｅｎｔｒｙ Ｐｏｉｎｔ管理情報中に拡張情報を持つ場合のデータ構造図
【図２３】Ｓｅｃｔｉｏｎ Ｍａｒｋｅｒ管理情報中に拡張情を持つ場合のデータ構造図
【図２４】拡張情報のデータ構造図
【図２５】拡張情報に外部拡張情報へのリンク情報を記述する場合のデータ構造図（１）
【図２６】拡張情報に外部拡張情報へのリンク情報を記述する場合のデータ構造図（２）
【図２７】拡張情報ＩＤのデータ構造図
【図２８】拡張情報セットのデータ構造図（１）
【図２９】拡張情報セットのデータ構造図（２）
【図３０】拡張情報ｓｕｂ＿ＩＤ及び著作権管理情報のデータ構造図
【図３１】拡張情報にサムネイルデータへのポインタを記述する場合のデータ構造図
【図３２】Ｅｎｔｒｙ Ｐｏｉｎｔ の拡張情報にサムネイルデータへのポインタを記述する場合のデータ構造図
【図３３】拡張情報に静止画ファイルへのリンク情報を記述する場合のデータ構造図（１）
【図３４】Ｓｔｉｌｌ Ｓｅｃｔｉｏｎ Ｍａｋｅｒが付加された番組の再生順序の説明図
【図３５】拡張情報に静止画ファイルへのリンク情報を記述する場合のデータ構造図（２）
【図３６】動画と静止画の記録時における機器の動作を示すフローチャート
【図３７】動画と静止画の再生時における機器の動作を示すフローチャート
【図３８】Ｓｅｃｔｉｏｎ Ｍａｋｅｒを使用して静止画のみの番組を構成する方法の説明図
【図３９】ユーザー定義番組を構成する方法の説明図（１）
【図４０】静止画対応機器と、非対応機器での表示の違いの説明図（１）
【図４１】拡張情報に静止画ファイルへのリンク情報を記述すると共に、本編にＭＰＥＧエンコードした静止画データを記録する方法の説明図
【図４２】静止画対応機器と、非対応機器での表示の違いの説明図（２）
【図４３】静止画をＭＰＥＧエンコードした本編とＳｅｃｔｉｏｎ Ｍａｋｅｒの組み合わせで、静止画のみの番組を構成する方法の説明図
【図４４】ユーザー定義番組を構成する方法の説明図（２）
【図４５】拡張情報に静止画ファイルへのリンク情報を記述すると共に、本編に特殊データを記録する方法の説明図
【図４６】静止画対応機器と、非対応機器での表示の違いの説明図（３）
【図４７】特殊データとＳｅｃｔｉｏｎ Ｍａｋｅｒの組み合わせで、静止画のみの番組を構成する方法の説明図
【図４８】ユーザー定義番組を構成する方法の説明図（３）
【図４９】オーバーレイ属性情報をもつＳｅｃｔｉｏｎ Ｍａｋｅｒのデータ構造の説明図
【図５０】オーバーレイ属性情報を持つＳｅｃｔｉｏｎ Ｍａｋｅｒが付加された場合とされない場合の表示の違いの説明図
【図５１】サムネイルデータへのポインタを持つＳｅｃｔｉｏｎ Ｍａｋｅｒのデータ構造図
【図５２】サムネイルデータへのポインタを持つＥｎｔｒｙ Ｐｏｉｎｔのデータ構造図
【図５３】静止画用の外部拡張情報ファイルの構成図
【図５４】ＤＣＦ基本ファイルの先頭部分のデータ構造図
【図５５】Ｅｎｔｒｙ Ｐｏｉｎｔ管理情報の拡張情報領域に静止画ファイルへの参照を記録する場合のデータ構造図
【図５６】ＤＣＦ基本ファイルの詳細データ構造を示す図
【図５７】Ｅｘｉｆ規格に準拠したＴＩＦＦファイルの詳細データ構造を示す図
【図５８】ＤＶＤ−ＲＡＭディスク上の物理的なデータ配置を示す図
【図５９】（ａ）ＤＣＦ基本ファイルが記録されたＤＶＤ−ＲＡＭディスクを示し、またそのＤＶＤ−ＲＡＭディスクを読み出してサムネール表示またはＤＣＦ基本ファイルの検索を行う際の動作を示す図  （ｂ）ＤＣＦ基本ファイルが記録されたＤＶＤ−ＲＡＭディスクを示し、またそのＤＶＤ−ＲＡＭディスクを読み出して画像表示を行う際の動作を示す図
【図６０】ＤＶＤカムコーダの構成を示す図
【図６１】ＤＶＤ−ＲＡＭディスクをＤＶＤカムコーダのＤＶＤ−ＲＡＭドライブに挿入して、パソコンからアクセスする場合の機器構成を示す図
【図６２】複数の静止画ファイル（ＤＳＣオブジェクト）を格納したＤＶＤ−ＲＡＭディスク３０１を示す図
【図６３】（ａ）従来の、ＤＣＦ基本ファイルが記録されたＤＶＤ−ＲＡＭディスクを示し、またそのＤＶＤ−ＲＡＭディスクを読み出してサムネール表示またはＤＣＦ基本ファイルの検索を行う際の動作を示す図  （ｂ）従来の、ＤＣＦ基本ファイルが記録されたＤＶＤ−ＲＡＭディスクを示し、またそのＤＶＤ−ＲＡＭディスクを読み出して画像表示を行う際の動作を示す図
【符号の説明】
【０３２９】
１００  ＤＶＤ−ＲＡＭディスク
１０１，２０１  光ピックアップ
１０２，２０２  ＥＣＣ処理部
１０３，２０３，２２０  トラックバッファ
１０４，２１０  スイッチ
１０５，２１４  エンコーダ
１０６，２０５，２０６，２１８  デコーダ
２０７  オーディオデコーダ
２０８  静止画デコーダ
２１１  制御部
２１２  システム制御部
２１３  アナログ放送チューナ
２１５  デジタル放送チューナ
２１６  解析部
２１７  表示部
２１９  デジタルＩ／Ｆ部
２２１  ドライブ
２２２  ユーザＩ／Ｆ部
２２３  カメラ部
２２４  静止画エンコーダ
【図１】
2008305545.tif 000003
【図２】
2008305545.tif 000004
【図３】
2008305545.tif 000005
【図４】
2008305545.tif 000006
【図５】
2008305545.tif 000007
【図６】
2008305545.tif 000008
【図７】
2008305545.tif 000009
【図８】
2008305545.tif 000010
【図９】
2008305545.tif 000011
【図１０】
2008305545.tif 000012
【図１１】
2008305545.tif 000013
【図１２】
2008305545.tif 000014
【図１３】
2008305545.tif 000015
【図１４】
2008305545.tif 000016
【図１５】
2008305545.tif 000017
【図１６】
2008305545.tif 000018
【図１７】
2008305545.tif 000019
【図１８】
2008305545.tif 000020
【図１９】
2008305545.tif 000021
【図２０】
2008305545.tif 000022
【図２１】
2008305545.tif 000023
【図２２】
2008305545.tif 000024
【図２３】
2008305545.tif 000025
【図２４】
2008305545.tif 000026
【図２５】
2008305545.tif 000027
【図２６】
2008305545.tif 000028
【図２７】
2008305545.tif 000029
【図２８】
2008305545.tif 000030
【図２９】
2008305545.tif 000031
【図３０】
2008305545.tif 000032
【図３１】
2008305545.tif 000033
【図３２】
2008305545.tif 000034
【図３３】
2008305545.tif 000035
【図３４】
2008305545.tif 000036
【図３５】
2008305545.tif 000037
【図３６】
2008305545.tif 000038
【図３７】
2008305545.tif 000039
【図３８】
2008305545.tif 000040
【図３９】
2008305545.tif 000041
【図４０】
2008305545.tif 000042
【図４１】
2008305545.tif 000043
【図４２】
2008305545.tif 000044
【図４３】
2008305545.tif 000045
【図４４】
2008305545.tif 000046
【図４５】
2008305545.tif 000047
【図４６】
2008305545.tif 000048
【図４７】
2008305545.tif 000049
【図４８】
2008305545.tif 000050
【図４９】
2008305545.tif 000051
【図５０】
2008305545.tif 000052
【図５１】
2008305545.tif 000053
【図５２】
2008305545.tif 000054
【図５３】
2008305545.tif 000055
【図５４】
2008305545.tif 000056
【図５５】
2008305545.tif 000057
【図５６】
2008305545.tif 000058
【図５７】
2008305545.tif 000059
【図５８】
2008305545.tif 000060
【図５９】
2008305545.tif 000061
【図６０】
2008305545.tif 000062
【図６１】
2008305545.tif 000063
【図６２】
2008305545.tif 000064
【図６３】
2008305545.tif 000065
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
画像情報、及び前記画像情報に関する付属情報を有する画像ファイルを複数記録した記録媒体であって、
第１の領域には、複数の前記画像ファイルが記録されており、
前記第１の領域とは異なった領域でありかつ連続した論理セクタから成る第２の領域には、複数の前記画像ファイルにそれぞれ対応する複数の第２の付属情報が記録されており、
前記第１の領域の付属情報および前記第２の付属情報は、前記画像情報のサムネール画像情報および前記画像情報に関するメタデータを含むものであり、
１つのファイルとして管理されている前記複数の第２の付属情報は、前記論理セクタの整数倍の所定サイズの、連続した各領域内に１個づつ格納される記録媒体。
【請求項２】
前記第２の付属情報は、前記第１の領域の付属情報と共通のデータ構造で記録される請求項１記載の記録媒体。
【請求項３】
さらに第１の領域の前記画像ファイルと前記第２の付属情報との間のリンク情報が記録される請求項１記載の記録媒体。
【請求項４】
前記画像ファイルは、Ｅｘｉｆ画像ファイルであり、
前記画像情報は、前記Ｅｘｉｆ画像ファイルに含まれるＥｘｉｆ主画像及びＥＯＩ（エンドオブイメージ）であり、
前記第１の領域の付属情報は、前記Ｅｘｉｆ画像ファイルに含まれるＡＰＰ１（アプリケーションデータセグメント１）及びＳＯＩ（スタートオブイメージ）であり、
前記第２の付属情報は、前記ＡＰＰ１及びＳＯＩである、または前記ＡＰＰ１である、または前記ＡＰＰ１から先頭２バイトを除いた部分である、または前記ＡＰＰ１から先頭４バイトを除いた部分である、または前記ＡＰＰ１から所定の情報を除いた部分である請求項１記載の記録媒体。
【請求項５】
前記画像ファイルは、ＤＣＦ基本ファイルであり、
前記画像情報は、前記ＤＣＦ基本ファイルに含まれるＥｘｉｆ主画像及びＥＯＩ（エンドオブイメージ）であり、
前記第１の領域の付属情報は、前記ＤＣＦ基本ファイルに含まれるＡＰＰ１（アプリケーションデータセグメント１）及びＳＯＩ（スタートオブイメージ）であり、
前記第２の付属情報は、前記ＡＰＰ１及びＳＯＩである、または前記ＡＰＰ１である、または前記ＡＰＰ１から先頭２バイトを除いた部分である、または前記ＡＰＰ１から先頭４バイトを除いた部分である請求項１記載の記録媒体。
【請求項６】
前記画像ファイルは、Ｅｘｉｆ規格に準拠したＴＩＦＦファイル、及び前記ＴＩＦＦファイルに対応する縮小画像情報であるＤＣＦサムネールファイルであり、
前記画像情報は、前記ＴＩＦＦファイルに含まれるＴＩＦＦ画像情報であり、
前記第１の領域の付属情報及び前記第２の付属情報は、共に前記ＴＩＦＦファイルに含まれるＥｘｉｆ規格準拠の付属情報、及び前記ＤＣＦサムネールファイルである請求項１記載の記録媒体。
【請求項７】
画像情報、及び前記画像情報に関する付属情報から構成される画像ファイルを複数入力する入力手段と、
記録媒体の第１の領域に、複数の前記画像ファイルを記録し、前記第１の領域とは異なった領域でありかつ連続した論理セクタから成る、前記記録媒体の第２の領域に、複数の前記画像ファイルにそれぞれ対応する複数の第２の付属情報を記録する記録手段とを備え、
前記第１の領域の付属情報および前記第２の付属情報は、前記画像情報のサムネール画像情報および前記画像情報に関するメタデータを含むものであり、
１つのファイルとして管理されている前記複数の第２の付属情報は、前記論理セクタの整数倍の所定サイズの、連続した各領域内に１個づつ格納される記録装置。
【請求項８】
画像を圧縮して画像情報と前記画像情報に関する付属情報を生成するエンコーダと、
前記画像情報、および前記付属情報を画像ファイルとして構成し、記録媒体の第１の領域に、複数の前記画像ファイルを記録し、前記第１の領域とは異なった領域でありかつ連続した論理セクタから成る、前記記録媒体の第２の領域に、複数の前記画像ファイルにそれぞれ対応する複数の第２の付属情報を記録する記録手段とを備え、
前記第１の領域の付属情報及び前記第２の付属情報は、前記画像情報のサムネール画像情報及び前記画像情報に関するメタデータを含むものであり、
１つのファイルとして管理されている前記複数の第２の付属情報は、前記論理セクタの整数倍の所定サイズの、連続した各領域内に１個づつ格納される記録装置。
【請求項９】
前記第２の付属情報は、前記第１の領域の付属情報と共通のデータ構造で記録される請求項７または８記載の記録装置。
【請求項１０】
さらに第１の領域の前記画像ファイルと前記第２の付属情報との間のリンク情報を記録する請求項７または８記載の記録装置。
【請求項１１】
請求項７または８記載の記録装置によって記録された記録媒体に格納されている前記画像情報及び前記付属情報を再生する再生装置であって、
一つまたは複数の前記画像情報を再生する場合、前記第１の領域に格納されている一つまたは複数の前記画像ファイルを読み出し、一つまたは複数の前記付属情報を再生する場合、前記第２の領域に格納されている一つまたは複数の対応する前記第２の付属情報を読み出す読み出し手段と、
読み出された前記画像ファイルまたは前記第２の付属情報を出力する出力手段とを備えた再生装置。